(57)【要約】【課題】互いに異なる電圧が印加される複数の電圧線が存在する場合において、ノイズ低減に役立ち得る技術を提供する。【解決手段】第１信号経路４は、第２信号経路５と交差する第１交差部４Ｘと、第２領域６２内で延びる第１延部４Ｚとを含む。第２信号経路５は、第１信号経路４と交差する第２交差部５Ｘと、第１領域６１内で延びる第２延部５Ｚとを含む。第１画素２の信号の流れにおいて、第１交差部４Ｘは第１延部４Ｚの上流に位置する。第２画素３の信号の流れにおいて、第２交差部５Ｘは第２延部５Ｚの上流に位置する、【選択図】図６
2020072467.tif 000002
【特許請求の範囲】
【請求項１】
第１画素および第２画素を含む複数の画素と、
第１電圧が印加される１つ又は複数の第１電圧線を含む第１配線部と、前記第１電圧とは異なる第２電圧が印加される１つ又は複数の第２電圧線を含む第２配線部と、を含む第１回路と、
前記第１画素の信号が流れる第１信号経路と、
前記第２画素の信号が流れる第２信号経路と、を備え、
平面視において、前記１つ又は複数の第２電圧線の何れよりも前記１つ又は複数の第１電圧線の各々に近い領域を第１領域と定義し、前記１つ又は複数の第１電圧線の何れよりも前記１つ又は複数の第２電圧線の各々に近い領域を第２領域と定義したとき、
前記第１信号経路は、前記第２信号経路と交差する第１交差部と、前記第２領域内で延びる第１延部とを含み、
前記第２信号経路は、前記第１信号経路と交差する第２交差部と、前記第１領域内で延びる第２延部とを含み、
前記第１画素の信号の流れにおいて、前記第１交差部は前記第１延部の上流に位置し、
前記第２画素の信号の流れにおいて、前記第２交差部は前記第２延部の上流に位置する、
撮像装置。
【請求項２】
前記第１電圧は、電源電圧であり、
前記第２電圧は、接地電圧である、
請求項１記載の撮像装置。
【請求項３】
前記複数の画素は、少なくとも１つの行と複数の列を有する画素アレイを構成しており、
前記画素アレイにおける前記第１画素が属する列と、前記画素アレイにおける前記第２画素が属する列とは、互いに隣接している、
請求項１又は２に記載の撮像装置。
【請求項４】
前記平面視において、前記１つ又は複数の第１電圧線と、前記１つ又は複数の第２電圧線と、前記第１延部と、前記第２延部とは、互いに平行に延びている、
請求項１から３のいずれか一項に記載の撮像装置。
【請求項５】
前記撮像装置は、第１配線層と、前記第１配線層とは異なる第２配線層とを含む多層配線層を備え、
前記第１配線層は、前記第１交差部を含み、
前記第２配線層は、前記第２交差部を含む、
請求項１から４のいずれか一項に記載の撮像装置。
【請求項６】
前記平面視において、
前記第１信号経路は、第１接続点と、第２接続点とをさらに含み、
前記第２信号経路は、第３接続点と、第４接続点とをさらに含み、
前記第１画素の信号の流れにおいて、前記第１接続点は、前記第１交差部の上流に位置し、前記第２接続点は、前記第１交差部と前記第１延部との間に位置し、
前記第２画素の信号の流れにおいて、前記第３接続点は、前記第２交差部の上流に位置し、前記第４接続点は、前記第２交差部と前記第２延部との間に位置し、
前記撮像装置は、セレクタをさらに備え、
前記セレクタは、
前記第１接続点と前記第４接続点との間に接続された第１スイッチと、
前記第１接続点と前記第２接続点との間に接続された第２スイッチと、
前記第３接続点と前記第４接続点との間に接続された第３スイッチと、
前記第３接続点と前記第２接続点との間に接続された第４スイッチと、を含む、
請求項１から５のいずれか一項に記載の撮像装置。
【請求項７】
前記撮像装置は、１つ又は複数の電圧線を含む第３配線部と、複数の電圧線を含む第４配線部と、を含む第２回路をさらに備え、
前記第３配線部の前記１つ又は複数の電圧線は、第３電圧線を含み、
前記第４配線部の前記複数の電圧線は、前記第３電圧線に隣接する第４電圧線および第５電圧線を含み、
前記第３電圧線は、前記第４電圧線と第５電圧線の間に位置し、
前記平面視において、
前記１つ又は複数の第１電圧線および前記１つ又は複数の第２電圧線のピッチと、前記第４電圧線、前記第３電圧線および前記第５電圧線のピッチとは、互いに異なっており、
前記第３電圧線と前記第４電圧線との間の領域を第１ピッチ領域と定義し、前記第３電圧線と前記第５電圧線との間の領域を第２ピッチ領域と定義したとき、
前記第１信号経路は、前記第１ピッチ領域内で延びる第１ピッチ部分をさらに含み、
前記第２信号経路は、前記第２ピッチ領域内で延びる第２ピッチ部分をさらに含み、
前記第１画素の信号の流れにおいて、前記第１ピッチ部分は、前記第１交差部の上流に位置し、
前記第２画素の信号の流れにおいて、前記第２ピッチ部分は、前記第２交差部の上流に位置する、
請求項１から６のいずれか一項に記載の撮像装置。
【請求項８】
前記第１回路は、第１導電型の第１トランジスタと、前記第１導電型とは異なる第２導電型の第２トランジスタと、をさらに含み、
前記第１トランジスタは、前記１つ又は複数の第１電圧線のいずれかに接続されており、
前記第２トランジスタは、前記１つ又は複数の第２電圧線のいずれかに接続されている、
請求項１から７のいずれか一項に記載の撮像装置。
【請求項９】
前記撮像装置は、第２回路をさらに備え、
前記第１回路は、第１導電型の第１トランジスタと、前記第１導電型とは異なる第２導電型の第２トランジスタと、をさらに含み、
前記第２回路は、前記第１導電型の第３トランジスタと、前記第２導電型の第４トランジスタと、を含み、
前記第１トランジスタのゲートおよび前記第２トランジスタのゲートの重心を第１重心と定義し、前記第３トランジスタのゲートおよび前記第４トランジスタのゲートの重心を第２重心と定義したとき、前記平面視において、
前記第１トランジスタおよび前記第２トランジスタの並び方向と、前記第３トランジスタおよび前記第４トランジスタの並び方向とは、互いに異なり、
前記第１信号経路は、前記第２重心に最接近する部分と、前記第１重心に最接近する部分とを含み、
前記第２信号経路は、前記第２重心に最接近する部分と、前記第１重心に最接近する部分とを含み、
前記第１画素の信号の流れにおいて、前記第２重心に最接近する前記部分は、前記第１重心に最接近する前記部分の上流に位置し、
前記第２画素の信号の流れにおいて、前記第２重心に最接近する前記部分は、前記第１重心に最接近する前記部分の上流に位置する、
請求項１から６のいずれか一項に記載の撮像装置。
【請求項１０】
前記複数の画素は、オプティカルブラック画素である第１のＯＢ画素を含み、
前記撮像装置は、信号処理回路と、前記第１のＯＢ画素の信号が流れる第１のＯＢ経路をさらに備え、
前記平面視において、前記第１のＯＢ経路は、前記第２領域内で延びる第１のＯＢ延部を含み、
前記信号処理回路は、前記第１延部を経由した前記第１画素の信号に対して、前記第１のＯＢ延部を経由した前記第１のＯＢ画素の信号を用いたオプティカルブラック補正を実行する、
請求項１から９のいずれか一項に記載の撮像装置。
【請求項１１】
前記複数の画素は、第３画素を含み、
前記撮像装置は、前記第３画素の信号が流れる第３信号経路をさらに備え、
前記平面視において、前記第３信号経路は、前記第２領域内で延びる第３延部を含む、
請求項１から請求項９のいずれか一項に記載の撮像装置。
【請求項１２】
前記複数の画素は、第４画素を含み、
前記撮像装置は、前記第４画素の信号が流れる第４信号経路をさらに備え、
前記平面視において、前記第４信号経路は、前記第１領域内で延びる第４延部を含む、
請求項１１に記載の撮像装置。
【請求項１３】
前記平面視において、
前記第３信号経路は、前記第３画素から前記第２領域まで延びる部分を含み、
前記第４信号経路は、前記第４画素から前記第１領域まで延びる部分を含み、
前記第３画素から前記第２領域まで延びる前記部分は、前記第４画素から前記第１領域まで延びる前記部分と交差していない、
請求項１２に記載の撮像装置。
【請求項１４】
前記第１画素は、第１カラーフィルタを含み、
前記第２画素は、第２カラーフィルタを含み、
前記第３画素は、第３カラーフィルタを含み、
前記第１カラーフィルタおよび前記第３カラーフィルタは、第１色のカラーフィルタであり、
前記第２カラーフィルタは、前記第１色とは異なる第２色のカラーフィルタである、
請求項１１から請求項１３のいずれか一項に記載の撮像装置。
【請求項１５】
前記第１画素および前記第３画素は、Ｒ画素、Ｂ画素、Ｇｒ画素およびＧｂ画素の４種から選択される第１種の画素であり、
前記第２画素は、Ｒ画素、Ｂ画素、Ｇｒ画素およびＧｂ画素の４種から選択される第２種の画素であり、
前記第１種の画素と前記第２種の画素は、互いに異なる、
請求項１１から請求項１３のいずれか一項に記載の撮像装置。
【請求項１６】
前記撮像装置は、信号処理回路をさらに備え、
前記信号処理回路は、前記第１延部を経由した前記第１画素の信号および前記第３延部を経由した前記第３画素の信号の両方に対して、前記第２領域で重畳されるノイズ成分を低減させる補正を実行する、
請求項１１から請求項１５のいずれか一項に記載の撮像装置。
【請求項１７】
前記複数の画素は、オプティカルブラック画素である第１のＯＢ画素を含み、
前記撮像装置は、信号処理回路と、前記第１のＯＢ画素の信号が流れる第１のＯＢ経路をさらに備え、
前記平面視において、前記第１のＯＢ経路は、前記第２領域内で延びる第１のＯＢ延部を含み、
前記信号処理回路は、前記第１延部を経由した前記第１画素の信号に対して、前記第１のＯＢ延部を経由した前記第１のＯＢ画素の信号を用いたオプティカルブラック補正を実行する、
請求項１１から１５のいずれか一項に記載の撮像装置。
【請求項１８】
請求項１から請求項９および請求項１１から請求項１５のいずれか一項に記載の撮像装置と、
前記撮像装置の外部に設けられた信号処理装置と、を備える撮像システムであって、
前記複数の画素は、オプティカルブラック画素である第１のＯＢ画素を含み、
前記撮像装置は、前記第１のＯＢ画素の信号が流れる第１のＯＢ経路をさらに備え、
前記平面視において、前記第１のＯＢ経路は、前記第２領域内で延びる第１のＯＢ延部を含み、
前記信号処理装置は、前記第１延部を経由した前記第１画素の信号に対して、前記第１のＯＢ延部を経由した前記第１のＯＢ画素の信号を用いたオプティカルブラック補正を実行する、
撮像システム。
【請求項１９】
請求項１１から請求項１５のいずれか一項に記載の撮像装置と、
前記撮像装置の外部に設けられた信号処理装置と、を備える撮像システムであって、
前記信号処理装置は、前記第１延部を経由した前記第１画素の信号および前記第３延部を経由した前記第３画素の信号の両方に対して、前記第２領域で重畳されるノイズ成分を低減させる補正を実行する、
撮像システム。
【発明の詳細な説明】
【技術分野】
【０００１】
本開示は、撮像装置および撮像システムに関する。
【背景技術】
【０００２】
種々の撮像装置が知られている。撮像装置として、ＣＭＯＳ（Complementary Metal Oxide Semiconductor）イメージセンサが例示される。一例に係るＣＭＯＳイメージセンサは、列ごとに読出し回路群を備え、行単位でＡＤ変換したデジタル信号を出力する。特許文献１には、ＣＭＯＳイメージセンサの一例が記載されている。
【先行技術文献】
【特許文献】
【０００３】
【特許文献１】特開２０１１−０８２８１３号公報
【発明の概要】
【発明が解決しようとする課題】
【０００４】
撮像装置には、互いに異なる電圧が印加される複数の電圧線が存在する場合がある。それらの電圧線から、互いに異なるノイズ成分が画素の信号に与えられることにより、画質が低下することがある。本開示は、互いに異なる電圧が印加される複数の電圧線が存在する場合において、ノイズ低減に役立ち得る技術を提供する。
【課題を解決するための手段】
【０００５】
本開示は、
第１画素および第２画素を含む複数の画素と、
第１電圧が印加される１つ又は複数の第１電圧線を含む第１配線部と、前記第１電圧とは異なる第２電圧が印加される１つ又は複数の第２電圧線を含む第２配線部と、を含む第１回路と、
前記第１画素の信号が流れる第１信号経路と、
前記第２画素の信号が流れる第２信号経路と、を備え、
平面視において、前記１つ又は複数の第２電圧線の何れよりも前記１つ又は複数の第１電圧線の各々に近い領域を第１領域と定義し、前記１つ又は複数の第１電圧線の何れよりも前記１つ又は複数の第２電圧線の各々に近い領域を第２領域と定義したとき、
前記第１信号経路は、前記第２信号経路と交差する第１交差部と、前記第２領域内で延びる第１延部とを含み、
前記第２信号経路は、前記第１信号経路と交差する第２交差部と、前記第１領域内で延びる第２延部とを含み、
前記第１画素の信号の流れにおいて、前記第１交差部は前記第１延部の上流に位置し、
前記第２画素の信号の流れにおいて、前記第２交差部は前記第２延部の上流に位置する、
撮像装置を提供する。
【発明の効果】
【０００６】
本開示に係る技術は、互いに異なる電圧が印加される複数の電圧線が存在する場合において、ノイズ低減に役立ち得る。
【図面の簡単な説明】
【０００７】
【図１】図１は、第１の実施形態における、撮像装置のブロック図である。
【図２】図２は、第１の実施形態における、撮像装置の具体例を示す図である。
【図３】図３は、第１の実施形態における、画素アレイの構成図である。
【図４】図４は、第１の実施形態における、第２回路、第１回路、ＡＤ変換回路および制御回路の構成図である。
【図５】図５は、第１の実施形態における、信号経路の説明図である。
【図６】図６は、第１の実施形態における、信号経路の説明図である。
【図７】図７は、第１の実施形態における、信号経路の説明図である。
【図８】図８は、第１の実施形態における、撮像装置の断面図である。
【図９】図９は、第１の実施形態における、信号経路の説明図である。
【図１０】図１０は、第１の実施形態における、信号経路の説明図である。
【図１１】図１１は、第１の実施形態における、信号経路の説明図である。
【図１２】図１２は、第１の実施形態における、信号経路の説明図である。
【図１３】図１３は、第２の実施形態における、信号経路の説明図である。
【図１４】図１４は、第２の実施形態における、信号経路の説明図である。
【図１５】図１５は、第２の実施形態における、信号経路の説明図である。
【図１６】図１６は、第２の実施形態における、信号経路の説明図である。
【図１７】図１７は、第２の実施形態における、信号経路の説明図である。
【図１８】図１８は、第２の実施形態における、信号経路の説明図である。
【図１９Ａ】図１９Ａは、第２の実施形態における、信号経路の説明図である。
【図１９Ｂ】図１９Ｂは、第２の実施形態における、信号経路の説明図である。
【図２０】図２０は、第３の実施形態における、信号経路の説明図である。
【図２１Ａ】図２１Ａは、第４の実施形態における、信号経路の説明図である。
【図２１Ｂ】図２１Ｂは、第４の実施形態における、信号経路の説明図である。
【図２１Ｃ】図２１Ｃは、第４の実施形態における、信号経路の説明図である。
【図２２Ａ】図２２Ａは、第４の実施形態における、信号経路の説明図である。
【図２２Ｂ】図２２Ｂは、第４の実施形態における、信号経路の説明図である。
【図２２Ｃ】図２２Ｃは、第４の実施形態における、信号経路の説明図である。
【図２３】図２３は、第５の実施形態における、信号経路の説明図である。
【図２４】図２４は、第５の実施形態における、信号経路の説明図である。
【図２５】図２５は、第５の実施形態における、信号経路の説明図である。
【図２６】図２６は、第６の実施形態における、信号経路の説明図である。
【図２７】図２７は、第７の実施形態における、信号経路の説明図である。
【図２８】図２８は、第７の実施形態における、セレクタの構成図である。
【図２９】図２９は、具体例に係る、撮像システムのブロック図である。
【発明を実施するための形態】
【０００８】
（本開示に係る一態様の概要）
本開示の第１態様に係る撮像装置は、
第１画素および第２画素を含む複数の画素と、
第１電圧が印加される１つ又は複数の第１電圧線を含む第１配線部と、前記第１電圧とは異なる第２電圧が印加される１つ又は複数の第２電圧線を含む第２配線部と、を含む第１回路と、
前記第１画素の信号が流れる第１信号経路と、
前記第２画素の信号が流れる第２信号経路と、を備え、
平面視において、前記１つ又は複数の第２電圧線の何れよりも前記１つ又は複数の第１電圧線の各々に近い領域を第１領域と定義し、前記１つ又は複数の第１電圧線の何れよりも前記１つ又は複数の第２電圧線の各々に近い領域を第２領域と定義したとき、
前記第１信号経路は、前記第２信号経路と交差する第１交差部と、前記第２領域内で延びる第１延部とを含み、
前記第２信号経路は、前記第１信号経路と交差する第２交差部と、前記第１領域内で延びる第２延部とを含み、
前記第１画素の信号の流れにおいて、前記第１交差部は前記第１延部の上流に位置し、
前記第２画素の信号の流れにおいて、前記第２交差部は前記第２延部の上流に位置する。
【０００９】
第１態様に係る技術は、互いに異なる電圧が印加される複数の電圧線が存在する場合において、ノイズ低減に役立ち得る。なお、本開示において、「信号経路」は、例えば、信号が流れる１つ又は複数の信号線を含む。「信号経路」の一部は、第１回路および／または後述する第２回路に含まれる信号線であってもよい。
【００１０】
本開示の第２態様において、例えば、第１態様に係る撮像装置では、
前記第１電圧は、電源電圧であってもよく、
前記第２電圧は、接地電圧であってもよい。
【００１１】
第２態様に係る技術は、電源電圧が印加される電圧線と接地電圧が印加される電圧線とが存在する場合において、ノイズ低減に役立ち得る。
【００１２】
本開示の第３態様において、例えば、第１態様または第２態様に係る撮像装置では、
前記複数の画素は、少なくとも１つの行と複数の列を有する画素アレイを構成していてもよく、
前記画素アレイにおける前記第１画素が属する列と、前記画素アレイにおける前記第２画素が属する列とは、互いに隣接していてもよい。
【００１３】
第３態様のレイアウトは、撮像装置のレイアウトの一具体例である。
【００１４】
本開示の第４態様において、例えば、第１から第３態様のいずれか１つに係る撮像装置では、
前記平面視において、前記１つ又は複数の第１電圧線と、前記１つ又は複数の第２電圧線と、前記第１延部と、前記第２延部とは、互いに平行に延びていてもよい。
【００１５】
第４態様の平行レイアウトは、小型化の観点から有利である。一方、この平行レイアウトは、ノイズ低減には必ずしも有利ではない。このため、この平行レイアウトでは、上述のノイズ低減がその効果を発揮し易い。
【００１６】
本開示の第５態様において、例えば、第１から第４態様のいずれか１つに係る撮像装置は、第１配線層と、前記第１配線層とは異なる第２配線層とを含む多層配線層を備えていてもよく、
前記第１配線層は、前記第１交差部を含んでいてもよく、
前記第２配線層は、前記第２交差部を含んでいてもよい。
【００１７】
第５態様によれば、平面視における第１信号経路と第２信号経路の交差を実現し易い。
【００１８】
本開示の第６態様において、例えば、第１から第５態様のいずれか１つに係る撮像装置では、
前記平面視において、
前記第１信号経路は、第１接続点と、第２接続点とをさらに含んでいてもよく、
前記第２信号経路は、第３接続点と、第４接続点とをさらに含んでいてもよく、
前記第１画素の信号の流れにおいて、前記第１接続点は、前記第１交差部の上流に位置し、前記第２接続点は、前記第１交差部と前記第１延部との間に位置していてもよく、
前記第２画素の信号の流れにおいて、前記第３接続点は、前記第２交差部の上流に位置し、前記第４接続点は、前記第２交差部と前記第２延部との間に位置していてもよく、
前記撮像装置は、セレクタをさらに備えていてもよく、
前記セレクタは、
前記第１接続点と前記第４接続点との間に接続された第１スイッチと、
前記第１接続点と前記第２接続点との間に接続された第２スイッチと、
前記第３接続点と前記第４接続点との間に接続された第３スイッチと、
前記第３接続点と前記第２接続点との間に接続された第４スイッチと、を含んでいてもよい。
【００１９】
第６態様によれば、画素の信号の経路を切り替えることができる。
【００２０】
本開示の第７態様において、例えば、第１から第６態様のいずれか１つに係る撮像装置は、１つ又は複数の電圧線を含む第３配線部と、複数の電圧線を含む第４配線部と、を含む第２回路をさらに備えていてもよく、
前記第３配線部の前記１つ又は複数の電圧線は、第３電圧線を含んでいてもよく、
前記第４配線部の前記複数の電圧線は、前記第３電圧線に隣接する第４電圧線および第５電圧線を含んでいてもよく、
前記第３電圧線は、前記第４電圧線と第５電圧線の間に位置していてもよく、
前記平面視において、
前記１つ又は複数の第１電圧線および前記１つ又は複数の第２電圧線とのピッチと、前記第４電圧線、前記第３電圧線および前記第５電圧線のピッチとは、互いに異なっていてもよく、
前記第３電圧線と前記第４電圧線との間の領域を第１ピッチ領域と定義し、前記第３電圧線と前記第５電圧線との間の領域を第２ピッチ領域と定義したとき、
前記第１信号経路は、前記第１ピッチ領域内で延びる第１ピッチ部分をさらに含んでいてもよく、
前記第２信号経路は、前記第２ピッチ領域内で延びる第２ピッチ部分をさらに含んでいてもよく、
前記第１画素の信号の流れにおいて、前記第１ピッチ部分は、前記第１交差部の上流に位置していてもよく、
前記第２画素の信号の流れにおいて、前記第２ピッチ部分は、前記第２交差部の上流に位置していてもよい。
【００２１】
第７態様のピッチの相違がある場合は、上記交差を伴うレイアウトがノイズ低減に寄与し得る場合の一例である。
【００２２】
本開示の第８態様において、例えば、第１から第７態様のいずれか１つに係る撮像装置では、
前記第１回路は、第１導電型の第１トランジスタと、前記第１導電型とは異なる第２導電型の第２トランジスタと、をさらに含んでいてもよく、
前記第１トランジスタは、前記１つ又は複数の第１電圧線のいずれかに接続されていてもよく、
前記第２トランジスタは、前記１つ又は複数の第２電圧線のいずれかに接続されていていてもよい。
【００２３】
第８態様によれば、第１電圧線の第１電圧を利用して第１トランジスタを動作させることができる。第２電圧線の第２電圧を利用して第２トランジスタを動作させることができる。
【００２４】
本開示の第９態様において、例えば、第１から第６態様のいずれか１つに係る撮像装置は、第２回路をさらに備えていてもよく、
前記第１回路は、第１導電型の第１トランジスタと、前記第１導電型とは異なる第２導電型の第２トランジスタと、をさらに含んでいてもよく、
前記第２回路は、前記第１導電型の第３トランジスタと、前記第２導電型の第４トランジスタと、を含んでいてもよく、
前記第１トランジスタのゲートおよび前記第２トランジスタのゲートの重心を第１重心と定義し、前記第３トランジスタのゲートおよび前記第４トランジスタのゲートの重心を第２重心と定義したとき、前記平面視において、
前記第１トランジスタおよび前記第２トランジスタの並び方向と、前記第３トランジスタおよび前記第４トランジスタの並び方向とは、互いに異なっていてもよく、
前記第１信号経路は、前記第２重心に最接近する部分と、前記第１重心に最接近する部分とを含んでいてもよく、
前記第２信号経路は、前記第２重心に最接近する部分と、前記第１重心に最接近する部分とを含んでいてもよく、
前記第１画素の信号の流れにおいて、前記第２重心に最接近する前記部分は、前記第１重心に最接近する前記部分の上流に位置していてもよく、
前記第２画素の信号の流れにおいて、前記第２重心に最接近する前記部分は、前記第１重心に最接近する前記部分の上流に位置していてもよい。
【００２５】
第９態様のトランジスタの並び方向の相違がある場合は、上記交差を伴うレイアウトがノイズ低減に寄与し得る場合の一例である。
【００２６】
本開示の第１０態様において、例えば、第１から第９態様のいずれか１つに係る撮像装置では、
前記複数の画素は、オプティカルブラック画素である第１のＯＢ画素を含んでいてもよく、
前記撮像装置は、信号処理回路と、前記第１のＯＢ画素の信号が流れる第１のＯＢ経路をさらに備えていてもよく、
前記平面視において、前記第１のＯＢ経路は、前記第２領域内で延びる第１のＯＢ延部を含んでいてもよく、
前記信号処理回路は、前記第１延部を経由した前記第１画素の信号に対して、前記第１のＯＢ延部を経由した前記第１のＯＢ画素の信号を用いたオプティカルブラック補正を実行してもよい。
【００２７】
第１０態様は、第２領域で第１画素の信号に重畳されたノイズ成分を低減するのに適している。なお、本開示において、「ＯＢ経路」は、例えば、信号が流れる１つ又は複数の信号線を含む。「ＯＢ経路」の一部は、第１回路および／または後述する第２回路に含まれる信号線であってもよい。
【００２８】
本開示の第１１態様において、例えば、第１から第９態様のいずれか１つに係る撮像装置では、
前記複数の画素は、第３画素を含んでいてもよく、
前記撮像装置は、前記第３画素の信号が流れる第３信号経路をさらに備えていてもよく、
前記平面視において、前記第３信号経路は、前記第２領域内で延びる第３延部を含んでいてもよい。
【００２９】
第１１態様は、第１画素の信号および第３画素の信号のノイズを低減させるための補正を容易にする。
【００３０】
本開示の第１２態様において、例えば、第１１態様に係る撮像装置では、
前記複数の画素は、第４画素を含んでいてもよく、
前記撮像装置は、前記第４画素の信号が流れる第４信号経路をさらに備えていてもよく、
前記平面視において、前記第４信号経路は、前記第１領域内で延びる第４延部を含んでいてもよい。
【００３１】
第１２態様は、第２画素の信号および第４画素の信号のノイズを低減させるための補正を容易にする。
【００３２】
本開示の第１３態様において、例えば、第１２態様に係る撮像装置では、
前記平面視において、
前記第３信号経路は、前記第３画素から前記第２領域まで延びる部分を含んでいてもよく、
前記第４信号経路は、前記第４画素から前記第１領域まで延びる部分を含んでいてもよく、
前記第３画素から前記第２領域まで延びる前記部分は、前記第４画素から前記第１領域まで延びる前記部分と交差していなくてもよい。
【００３３】
第１３態様のレイアウトは、撮像装置のレイアウトの一例である。
【００３４】
本開示の第１４態様において、例えば、第１１から第１３態様のいずれか１つに係る撮像装置では、
前記第１画素は、第１カラーフィルタを含んでいてもよく、
前記第２画素は、第２カラーフィルタを含んでいてもよく、
前記第３画素は、第３カラーフィルタを含んでいてもよく、
前記第１カラーフィルタおよび前記第３カラーフィルタは、第１色のカラーフィルタであってもよく、
前記第２カラーフィルタは、前記第１色とは異なる第２色のカラーフィルタであってもよい。
【００３５】
第１４態様は、第１色のカラーフィルタを含む画素である第１画素および第３画素の信号のノイズを同様の補正条件で低減するのに適している。
【００３６】
本開示の第１５態様において、例えば、第１１から第１３態様のいずれか１つに係る撮像装置では、
前記第１画素および前記第３画素は、Ｒ画素、Ｂ画素、Ｇｒ画素およびＧｂ画素の４種から選択される第１種の画素であってもよく、
前記第２画素は、Ｒ画素、Ｂ画素、Ｇｒ画素およびＧｂ画素の４種から選択される第２種の画素であってもよく、
前記第１種の画素と前記第２種の画素は、互いに異なっていてもよい。
【００３７】
第１５態様は、第１種の画素である第１画素および第３画素の信号のノイズを同様の補正条件で低減するのに適している。
【００３８】
本開示の第１６態様において、例えば、第１１から第１５態様のいずれか１つに係る撮像装置は、信号処理回路をさらに備えていてもよく、
前記信号処理回路は、前記第１延部を経由した前記第１画素の信号および前記第３延部を経由した前記第３画素の信号の両方に対して、前記第２領域で重畳されるノイズ成分を低減させる補正を実行してもよい。
【００３９】
第１６態様によれば、第１画素の信号の補正と第３画素の信号の補正とにおいて、同様の補正条件を適用し易い。
【００４０】
本開示の第１７態様において、例えば、第１１から第１５態様のいずれか１つに係る撮像装置では、
前記複数の画素は、オプティカルブラック画素である第１のＯＢ画素を含んでいてもよく、
前記撮像装置は、信号処理回路と、前記第１のＯＢ画素の信号が流れる第１のＯＢ経路をさらに備えていてもよく、
前記平面視において、前記第１のＯＢ経路は、前記第２領域内で延びる第１のＯＢ延部を含んでいてもよく、
前記信号処理回路は、前記第１延部を経由した前記第１画素の信号に対して、前記第１のＯＢ延部を経由した前記第１のＯＢ画素の信号を用いたオプティカルブラック補正を実行してもよい。
【００４１】
第１７態様は、第２領域で第１画素の信号に重畳されたノイズ成分を低減するのに適している。
【００４２】
本開示の第１８態様に係る撮像システムは、
第１から第９態様および第１１から第１５態様のいずれか１つに係る撮像装置と、
前記撮像装置の外部に設けられた信号処理装置と、を備える撮像システムであって、
前記複数の画素は、オプティカルブラック画素である第１のＯＢ画素を含み、
前記撮像装置は、前記第１のＯＢ画素の信号が流れる第１のＯＢ経路をさらに備え、
前記平面視において、前記第１のＯＢ経路は、前記第２領域内で延びる第１のＯＢ延部を含み、
前記信号処理装置は、前記第１延部を経由した前記第１画素の信号に対して、前記第１のＯＢ延部を経由した前記第１のＯＢ画素の信号を用いたオプティカルブラック補正を実行する。
【００４３】
第１８態様は、第２領域で第１画素の信号に重畳されたノイズ成分を低減するのに適している。
【００４４】
本開示の第１９態様に係る撮像システムは、
第１１から第１５態様のいずれか１つに係る撮像装置と、
前記撮像装置の外部に設けられた信号処理装置と、を備える撮像システムであって、
前記信号処理装置は、前記第１延部を経由した前記第１画素の信号および前記第３延部を経由した前記第３画素の信号の両方に対して、前記第２領域で重畳されるノイズ成分を低減させる補正を実行する。
【００４５】
第１９態様によれば、第１画素の信号の補正と第３画素の信号の補正とにおいて、同様の補正条件を適用し易い。
【００４６】
本開示の第２０態様に係る撮像装置は、
第１画素、第２画素、第３画素および第４画素を含む複数の画素と、
第１電圧が印加される１つ又は複数の第１電圧線を含む第１配線部と、前記第１電圧とは異なる第２電圧が印加される１つ又は複数の第２電圧線を含む第２配線部と、を含む第１回路と、
前記第１画素の信号が流れる第１信号経路と、
前記第２画素の信号が流れる第２信号経路と、
前記第３画素の信号が流れる第３信号経路と、
前記第４画素の信号が流れる第４信号経路と、を備え、
平面視において、前記１つ又は複数の第２電圧線の何れよりも前記１つ又は複数の第１電圧線の各々に近い領域を第１領域と定義し、前記１つ又は複数の第１電圧線の何れよりも前記１つ又は複数の第２電圧線の各々に近い領域を第２領域と定義したとき、
前記平面視において、
前記第１信号経路は、前記第２領域内で延びる第１延部を含み、
前記第２信号経路は、前記第１領域内で延びる第２延部を含み、
前記第３信号経路は、前記第２領域内で延びる第３延部を含み、
前記第４信号経路は、前記第１領域内で延びる第４延部を含む。
【００４７】
本開示の第２１態様において、例えば、第２０態様に係る撮像装置では、
前記第１画素は、第１カラーフィルタを含んでいてもよく、
前記第２画素は、第２カラーフィルタを含んでいてもよく、
前記第３画素は、第３カラーフィルタを含んでいてもよく、
前記第４画素は、第４カラーフィルタを含んでいてもよく、
前記第１カラーフィルタおよび前記第３カラーフィルタは、第１色のカラーフィルタであってもよく、
前記第２カラーフィルタおよび前記第４カラーフィルタは、前記第１色とは異なる第２色のカラーフィルタであってもよい。
【００４８】
本開示の第２２態様において、例えば、第２０態様に係る撮像装置では、
前記第１画素および前記第３画素は、Ｒ画素、Ｂ画素、Ｇｒ画素およびＧｂ画素の４種から選択される第１種の画素であってもよく、
前記第２画素および前記第４画素は、Ｒ画素、Ｂ画素、Ｇｒ画素およびＧｂ画素の４種から選択される第２種の画素であってもよく、
前記第１種の画素と前記第２種の画素は、互いに異なっていてもよい。
【００４９】
本開示の第２３態様において、例えば、第２０から第２２態様のいずれか１つに係る撮像装置は、信号処理回路をさらに備えていてもよく、
前記信号処理回路は、前記第１延部を経由した前記第１画素の信号および前記第３延部を経由した前記第３画素の信号の両方に対して、前記第２領域で重畳されるノイズ成分を低減させる補正を実行してもよく、
前記信号処理回路は、前記第２延部を経由した前記第２画素の信号および前記第４延部を経由した前記第４画素の信号の両方に対して、前記第１領域で重畳されるノイズ成分を低減させる補正を実行してもよい。
【００５０】
本開示の第２４態様に係る撮像システムは、
第２０から第２３態様に係る撮像装置と、
前記撮像装置の外部に設けられた信号処理装置と、を備える撮像システムであって、
前記信号処理装置は、前記第１延部を経由した前記第１画素の信号および前記第３延部を経由した前記第３画素の信号の両方に対して、前記第２領域で重畳されるノイズ成分を低減させる補正を実行してもよく、
前記信号処理装置は、前記第２延部を経由した前記第２画素の信号および前記第４延部を経由した前記第４画素の信号の両方に対して、前記第１領域で重畳されるノイズ成分を低減させる補正を実行してもよい。
【００５１】
第２０から第２４態様に、第１から第１９態様の技術を適用できる。
【００５２】
以下、実施形態に係る撮像装置を、図面を参照しながら説明する。
【００５３】
必要以上に詳細な説明は省略する場合がある。例えば、既によく知られた事項の詳細説明、実質的に同一の構成に対する重複説明等は、省略する場合がある。これは、以下の説明が不必要に冗長になるのを避け、当業者の理解を容易にするためである。なお、添付図面および以下の説明は当業者が本開示に係る技術を十分に理解するためのものであって、これらによって請求の範囲に記載の主題を限定することを意図するものではない。
【００５４】
図面において、実質的に同一の構成、動作、および効果を表す要素については、同一の符号を付す。また、以下において記述される数値は、すべて本開示に係る技術を具体的に説明するために例示するものであり、本開示に係る技術は例示された数値に制限されない。さらに、構成要素間の接続関係は、本開示に係る技術を具体的に説明するために例示するものであり、本開示に係る技術の機能を実現する接続関係はこれに限定されない。
【００５５】
本明細書では、第１、第２、第３・・・という序数詞を用いることがある。ある要素に序数詞が付されている場合に、より若番の同種類の要素が存在することは必須ではない。必要に応じて序数詞の番号を変更することができる。
【００５６】
（第１の実施形態）
図１に、本実施形態に係る撮像装置１００を示す。撮像装置１００は、例えば、図２に示すイメージセンサチップである。
【００５７】
図１に示す撮像装置１００は、画素アレイ１と、電気回路４７と、を有する。画素アレイは、列の数が１つであっても複数であってもよく行の数が１つであってもよく複数であってもよい要素を指す。図１の例では、電気回路４７は、周辺回路である。
【００５８】
画素アレイ１は、複数の画素を含む。図３に、画素アレイ１の一例を示す。図３の例では、画素アレイ１における画素は、半導体基板において、行列状に配列されている。これらの画素が設けられた領域は、撮像領域として機能する。各画素は、入射光を光電変換することによって電荷を生成し、これにより得られた画素信号（本開示の第１〜第４画素の信号の一例）を出力する。画素信号は、電荷に対応する電気信号である。
【００５９】
図３において、「Ｒｏｗ」は、画素アレイ１の行を意味する。「Ｃｏｌ」は、画素アレイ１の列を意味する。図３では、第０行，第１行，第２行および第３行が描かれている。図３において、「Ｃｏｌ０」は第０列を表し、「Ｃｏｌ１」は第１列を表す。
【００６０】
図３の例では、画素アレイ１においてベイヤー配列が採用されている。具体的には、例えば、第０行および第２行などの偶数行において、Ｇｒ画素およびＲ画素が、交互に繰り返し並んでいる。第１行および第３行などの奇数行において、Ｂ画素およびＧｂ画素が、交互に繰り返し並んでいる。第０列などの偶数列において、Ｇｒ画素およびＢ画素が、交互に繰り返し並んでいる。第１列などの奇数列において、Ｒ画素およびＧｂ画素が、交互に繰り返し並んでいる。
【００６１】
Ｒ画素は、赤色の画素である。Ｂ画素は、青色の画素である。Ｇｒ画素およびＧｂ画素は、緑色の画素である。
【００６２】
具体的には、例えば、Ｒ画素は、Ｒカラーフィルタを含む。Ｒカラーフィルタは、赤色のカラーフィルタである。Ｂ画素は、Ｂカラーフィルタを含む。Ｂカラーフィルタは、青色のカラーフィルタである。Ｇｒ画素は、Ｇｒカラーフィルタを含む。Ｇｂ画素は、Ｇｂカラーフィルタを含む。ＧｒカラーフィルタおよびＧｂカラーフィルタは、緑色のカラーフィルタである。
【００６３】
図３の例では、画素は、カラーの画素である。具体的には、図３の例では、画素は、原色のカラーの画素である。ただし、画素は、補色のカラーの画素であってもよい。また、図３の例では、異なる複数の色の画素によって、画素アレイが構成されている。具体的には、図３の例では、複数の色は、３色である。ただし、複数の色は、４色であってもよい。複数の色は、白色を含んでいてもよい。その他、画素は、フィルタのないモノクロの画素であってもよい。この点は、後述の実施形態についても同様である。
【００６４】
図３の例では、１つの画素が１つの信号線に接続されており、そのような画素および信号線の組み合わせが複数組存在する。図３では、各信号線は、上下に延びている。図３の例では、第０列に複数本の信号線が関連付けられており、第１列に複数本の信号線が関連付けられている。これらの信号線は、画素の信号が流れる信号経路の一部または全部を構成する。後述の図５等では、これらの信号線あるいは信号経路の一部の図示を省略することがある。なお、１つの列に関連付けられた複数の信号線は、途中で集約されてその数が減ってもよい。１つの列に関連付けられる信号線の数は、１本でもよい。
【００６５】
本実施形態では、各画素の中心は、仮想的な正方格子の格子点上に位置している。もちろん、画素の各中心は、仮想的な三角格子、仮想的な六角格子などの格子点上に位置していてもよい。また、各画素は、１次元に配列されてもよい。この場合、撮像装置１００をラインセンサとして利用できる。
【００６６】
図１の例では、電気回路４７は、第２回路１４、第１回路６、ＡＤ変換回路４０、信号処理回路４３、出力回路４４、行走査回路４１および制御回路４２を含む。電気回路４７は、画素アレイ１が形成される半導体基板上に配置されていてもよい。電気回路４７の一部が、他の基板上に配置されていてもよい。
【００６７】
行走査回路４１は、画素アレイ１における複数の画素のうちの、一部の行の画素を選択する。これにより、選択された画素の信号の読み出しが実行される。
【００６８】
図４に、第２回路１４、第１回路６、ＡＤ変換回路４０および制御回路４２の構成例を、模式的に示す。
【００６９】
図４の例では、第２回路１４は、電流源回路５０を含む。電流源回路５０は、定電流源５１を含む。定電流源５１は、グランド５２に接続されている。
【００７０】
第１回路６は、前段回路５３と、ＲＡＭＰ比較器５４と、を含む。前段回路５３は、バッファ回路を含む。ＲＡＭＰ比較器５４は、第１入力部５４ａと、第２入力部５４ｂと、出力部５４ｃと、を含む。
【００７１】
ＡＤ変換回路４０は、カウンタ回路５５およびメモリ回路５６を含む。カウンタ回路５５は、ＡＤ変換用クロックを含む。
【００７２】
制御回路４２は、デジタルアナログコンバータ（ＤＡＣ）５７を含む。制御回路４２は、第２回路１４、第１回路６およびＡＤ変換回路４０を制御する。
【００７３】
画素アレイ１におけるある列の画素の信号が、電流源回路５０に入力される。電流源回路５０は、定電流源５１を利用して、入力された画素の信号に応じた信号をアナログの電圧信号として出力する。電圧信号となった画素の信号は、前段回路５３を経由して、ＲＡＭＰ比較器５４の第１入力部５４ａに入力される。
【００７４】
ＤＡＣ５７は、参照信号ＲＡＭＰを出力する。参照信号ＲＡＭＰは、時間経過とともに変化する電圧信号である。一例では、参照信号ＲＡＭＰは、時間経過とともに大きくなる電圧信号である。別例では、参照信号ＲＡＭＰは、時間経過とともに小さくなる電圧信号である。電圧信号の変化は、単調増加であってもよく単調減少であってもよい。電圧信号の変化は、線形変化であってもよい。参照信号ＲＡＭＰは、ＲＡＭＰ比較器５４の第２入力部５４ｂに入力される。
【００７５】
ＲＡＭＰ比較器５４の出力部５４ｃから、出力信号として、電圧が出力される。一例では、出力部５４ｃから、高レベル電圧または低レベル電圧が出力される。電圧レベルは、第１入力部５４ａへの入力電圧と第２入力部５４ｂへの入力電圧の差分の符号が反転したときに、反転する。
【００７６】
カウンタ回路５５は、ＡＤ変換用クロックによって、参照信号ＲＡＭＰ５４の電圧信号の変化開始時点から上記反転がなされるまでの期間をカウントする。カウンタ回路５５は、カウントされた期間が長いほど大きいデジタル信号を出力する。このようにして、画素の信号は、ＲＡＭＰ比較器５４およびカウンタ回路５５によって、アナログ信号からデジタル信号に変換される。
【００７７】
デジタル信号となった画素の信号は、メモリ回路５６に格納される。メモリ回路５６に格納された画素の信号は、信号処理回路４３で信号処理され、その後、出力回路４４から撮像装置１００の外部に出力される。
【００７８】
電流源回路５０、ＲＡＭＰ比較器５４およびＡＤ変換回路４０は、列毎に設けられている。電流源回路５０、ＲＡＭＰ比較器５４およびＡＤ変換回路４０は、制御回路４２により制御される。
【００７９】
以下、画素アレイ１における画素の信号が、画素からどのような経路を辿るのかについて、図５を参照して説明する。以下では、複数の画素の１つを、第１画素２と称することがある。複数の画素の１つを、第２画素３と称することがある。第１画素２の信号が流れる経路を、第１信号経路４と称することがある。第２画素３の信号が流れる経路を、第２信号経路５と称することがある。
【００８０】
第１の例では、第１画素２は、Ｒ画素、Ｂ画素、Ｇｒ画素およびＧｂ画素の４種から選択される第１種の画素である。第２画素３は、Ｒ画素、Ｂ画素、Ｇｒ画素およびＧｂ画素の４種から選択される第２種の画素である。第１種の画素と第２種の画素は、互いに異なる。
【００８１】
第２の例では、第１画素２は、第１色の画素である。第２画素３は、第２色の画素である。第１色および第２色は、互いに異なる。具体的には、例えば、第１画素２は、第１色のカラーフィルタを含む。第２画素３は、第２色のカラーフィルタを含む。なお、第１の例においても、第１画素２の色と第２画素３の色とが互いに異なることはあり得る。
【００８２】
図５の例では、第１回路６は、第１電圧線７と、第２電圧線８と、を含む。第１電圧線７には、第１電圧が印加される。第２電圧線８には、第２電圧が印加される。第１電圧と第２電圧は、互いに異なる。
【００８３】
以下では、第１配線部Ｊ１という用語を用いることがある。第１配線部Ｊ１は、第１電圧が印加される配線部である。第１配線部Ｊ１は、１つの第１電圧線７または複数の第１電圧線７に対応し得る。後述する図６の例では、第１配線部Ｊ１は、１つの第１電圧線７に対応する。
【００８４】
以下では、第２配線部Ｊ２という用語を用いることがある。第２配線部Ｊ２は、第２電圧が印加される配線部である。第２配線部Ｊ２は、１つの第２電圧線８または複数の第２電圧線８に対応し得る。後述する図６の例では、第２配線部Ｊ２は、１つの第２電圧線８に対応する。
【００８５】
本実施形態では、第１電圧は、電源電圧である。第２電圧は、接地電圧である。第１電圧線７および第２電圧線８は、第１回路６における要素を動作させるために利用される。一例では、第１電圧線７および第２電圧線８は、第１回路６における要素を動作させるための、電荷授受経路として利用される。例えば、電圧線７および８は、図４の前段回路５３のバッファ回路で用いられる。第２電圧が電源電圧であり、第１電圧が接地電圧であってもよい。
【００８６】
ここで、図６に示すように、平面視において、第２配線部Ｊ２よりも第１配線部Ｊ１に近い領域を第１領域６１と定義する。平面視において、第１配線部Ｊ１よりも第２配線部Ｊ２に近い領域を第２領域６２と定義する。このとき、平面視において、第１信号経路４では、第２信号経路５と交差する第１交差部４Ｘと、第２領域６２内で延びる第１延部４Ｚとが、第１画素２の信号の流れ方向２Ｆに沿ってこの順に並ぶ。すなわち、第１画素２の信号の流れにおいて、第１交差部４Ｘは第１延部４Ｚの上流に位置する。平面視において、第２信号経路５では、第１信号経路４と交差する第２交差部５Ｘと、第１領域６１内で延びる第２延部５Ｚとが、第２画素３の信号の流れ方向３Ｆに沿ってこの順に並ぶ。すなわち、第２画素３の信号の流れにおいて、第２交差部５Ｘは第２延部５Ｚの上流に位置する。先に説明したとおり、第１配線部Ｊ１は、第１電圧が印加される配線部である。第２配線部Ｊ２は、第２電圧が印加される配線部である。図６の例では、第１配線部Ｊ１は、１つの第１電圧線７に対応する。第２配線部Ｊ２は、１つの第２電圧線８に対応する。このようにすることは、互いに異なる電圧が印加される複数の電圧線７および８が存在する場合において、ノイズ低減に役立ち得る。
【００８７】
具体的には、例えば、図７に示すように、平面視において、第２配線部Ｊ２からの距離に対する第１配線部Ｊ１からの距離の比率が１／２以下である領域を第１の１／２領域７１と定義する。平面視において、第１配線部Ｊ１からの距離に対する第２配線部Ｊ２からの距離の比率が１／２以下である領域を第２の１／２領域７２と定義する。第１延部４Ｚは、平面視において第１信号経路４が第２の１／２領域７２内で延びる部分である。第２延部５Ｚは、平面視において第２信号経路５が第１の１／２領域７１内で延びる部分である。この具体的な例の「１／２」を「１／３」に置き換えたり「１／４」に置き換えたりしてもいい。この点は、後述する実施形態についても同様である。
【００８８】
典型的には、画素アレイ１は、半導体基板上に設けられる。平面視は、例えば、半導体基板の厚さ方向に平行に観察することをいう。図５から７では、平面視に基づく並びが示されている。
【００８９】
以下、平面視における上記構成がもたらすメリットの例について、説明する。
【００９０】
例えば、平面視における第１電圧線７と第２電圧線８の配置順には、制約がある場合がある。このような制約は、第１電圧線７および第２電圧線８が第１回路６と別の回路とで共有されている場合に課され得る。また、撮像装置１００が図２に示すようなイメージセンサチップであり、そのチップが外部パッド９０を有し、外部パッド９０を介して第１電圧線７に第１電圧を供給し第２電圧線８に第２電圧を供給する場合がある。そのような場合には、外部パッド９０の並び順により、上記の制約が課され得る。
【００９１】
上記の制約があるとする。平面視で、第２回路１４において、第１信号経路４が相対的に第１電圧線７寄りの位置（図５の例では左側の位置）を延び、第２信号経路５が第２電圧線８寄りの位置（図５の例では右側の位置）を延びる必要があるとする。さらに、第１電圧線７が発するノイズ成分よりも第２電圧線８が発するノイズ成分のほうが小さいとする。そのような場合において、上述の交差の寄与により、平面視において、第１信号経路４を第２電圧線８に近づけ、第２信号経路５を第１電圧線７に近づけることができる。上述の交差の寄与により、第２信号経路５を流れる信号に第１回路６で重畳されるノイズに比べ、第１信号経路４を流れる信号に第１回路６で重畳されるノイズを小さくすることができる。
【００９２】
第２信号経路５を流れる信号に第１回路６で重畳されるノイズに比べ、第１信号経路４を流れる信号に第１回路６で重畳されるノイズを小さくできる技術は、種々の状況において役立ち得る。このことは、例えば、第２画素３の信号に重畳されるノイズよりも第１画素２の信号に重畳されるノイズを小さくしたい場合に、役立ち得る。また、撮像装置１００の駆動モードが、通常モードと画素加算モードとを含むとする。制御回路４２および行操作回路４１は、駆動モードを制御する。ここで、通常モードは、第１信号経路４を第１画素２の信号が流れ、第２信号経路５を第２画素３の信号が流れるモードである。画素加算モードは、画素アレイ１において第１画素２の信号と第２画素３の信号とを混合し、得られた混合信号が第１信号経路４を流れるモードである。上記技術によれば、画素加算モードにおいて混合信号に第１回路６で重畳されるノイズを小さくできる。
【００９３】
図示している画素アレイ１および電気回路４７は、あくまで一例である。画素アレイ１および電気回路４７の構成は、特に限定されない。第２回路１４、第１回路６、ＡＤ変換回路４０、信号処理回路４３、出力回路４４、行走査回路４１および制御回路４２の全てが存在することは、必須ではない。例えば、第２回路１４は省略可能である。これらの点は、後述の実施形態においても同様である。
【００９４】
第１回路６および／または第２回路１４は、電流源回路の様なアナログ回路であってもよい。第１回路６および／または第２回路１４は、クロックなどで動作するデジタル回路であってもよい。
【００９５】
図８は、一例に係る、撮像装置１００を厚さ方向に沿って切断した断面図である。図８に示すように、撮像装置１００は、絶縁層９１を含む。この例では、絶縁層９１は、半導体基板９２上に、設けられている。絶縁層９１における互いに異なる深さの位置には、複数の配線層が設けられている。図８の例では、複数の配線層は、第１配線層８１と、第２配線層８２と、第３配線層８３と、第４配線層８４と、を含んでいる。第１信号経路４、第２信号経路５、第１電圧線７および第２電圧線８のうちの１つまたは全部は、同じ配線層に設けられていてもよい。これらのうちの１つまたは全部が、互いに異なる配線層に設けられていてもよい。
【００９６】
本実施形態では、撮像装置１００は、多層配線層における互いに異なる層である２つの配線層を備える。２つの配線層の一方は、第１交差部４Ｘを含む。２つの配線層の他方は、第２交差部５Ｘを含む。このようにすれば、平面視における第１信号経路４と第２信号経路５の交差を実現し易い。２つの配線層の上記一方は、図８の配線層８１から８４のいずれかであり得る。２つの配線層の上記他方は、図８の配線層８１から８４のいずれかであり得る。
【００９７】
図９の例では、複数の画素は、オプティカルブラック画素である第１のＯＢ画素６５を含む。撮像装置１００は、信号処理回路４３と、第１のＯＢ画素６５の信号が流れる第１のＯＢ経路６６を含む。平面視において、第１のＯＢ経路６６では、第２領域６２内で延びる第１のＯＢ延部６６Ｚがある。信号処理回路４３は、第１延部４Ｚを経由した第１画素２の信号に対して、第１のＯＢ延部６６Ｚを経由した第１のＯＢ画素６５の信号を用いたオプティカルブラック補正を実行する。このようにすることは、第２領域６２で第１画素２の信号に重畳されたノイズ成分を低減するのに適している。なお、図９に示していないが、信号処理回路４３と第１回路６との間には、ＡＤ変換回路４０があってもよい。
【００９８】
具体的には、例えば、第１のＯＢ延部６６Ｚは、第１のＯＢ経路６６における平面視において第２の１／２領域７２内で延びる部分である。第１延部４Ｚは、第１信号経路４における平面視において第２の１／２領域７２内で延びる部分である。
【００９９】
図１０の例では、複数の画素は、オプティカルブラック画素である第２のＯＢ画素６７を含む。撮像装置１００は、信号処理回路４３と、第２のＯＢ画素６７の信号が流れる第２のＯＢ経路６８を備える。平面視において、第２のＯＢ経路６８では、第１領域６１内で延びる第２のＯＢ延部６８Ｚがある。信号処理回路４３は、第２延部５Ｚを経由した第２画素３の信号に対して、第２のＯＢ延部６８Ｚを経由した第２のＯＢ画素６７の信号を用いたオプティカルブラック補正を実行する。このようにすることは、第１領域６１で第２画素３の信号に重畳されたノイズ成分を低減するのに適している。
【０１００】
具体的には、例えば、第２のＯＢ延部６８Ｚは、第２のＯＢ経路６８における平面視において第１の１／２領域７１内で延びる部分である。第２延部５Ｚは、第２信号経路５における平面視において第１の１／２領域７１内で延びる部分である。
【０１０１】
本実施形態では、複数の画素は、少なくとも１つの行と複数の列を有する画素アレイ１を構成している。画素アレイ１における第１画素２が属する列と、画素アレイ１における第２画素３が属する列とは、互いに隣接している。
【０１０２】
本実施形態では、平面視において、第１配線部Ｊ１と、第２配線部Ｊ２と、第１延部４Ｚと、第２延部５Ｚとは、互いに平行に延びている。ここで、先に述べたように、図６の例では、第１配線部Ｊ１は、１つの第１電圧線７に対応する。第２配線部Ｊ２は、１つの第２電圧線８に対応する。このような平行レイアウトは、小型化の観点から有利である。一方、この平行レイアウトは、ノイズ低減には必ずしも有利ではない。このため、この平行レイアウトでは、上述のノイズ低減がその効果を発揮し易い。
【０１０３】
本実施形態では、平面視において、第１配線部Ｊ１と、第２配線部Ｊ２と、第１延部４Ｚと、第２延部５Ｚとは、まっすぐに延びている。
【０１０４】
第１電圧線７における第１電圧は、固定電圧であってもよく、時間変化する電圧であってもよい。第２電圧線８における第２電圧についても同様である。固定電圧としては、モード信号の電圧、レジスタ信号の電圧が例示される。第１電圧および第２電圧に対応する時間変化する電圧としては、互いに異なる周波数の交流電圧が例示される。このような交流電圧としては、クロック信号の電圧が例示される。第１電圧および第２電圧の一方がクロック信号の電圧であり、他方がデータ信号の電圧であってもよい。第１電圧および第２電圧は、互いに異なるタイミングおよび／または互いに異なるデューティ比のパルス信号の電圧であってもよい。
【０１０５】
平面視において、上記交差は、第１回路６と第２回路１４との間の領域でなされていてもよく、第１回路６上の領域でなされていてもよく、第２回路１４上の領域でなされていてもよい。なお、第１回路６と第２回路１４との間には、第１回路６と第２回路１４とを電気的に分離させる素子分離領域が設けられていることがある。平面視において、上記交差は、素子分離領域と重なる位置でなされていてもよい。
【０１０６】
本実施形態では、第１交差部４Ｘは、第１画素２のアナログの信号が通る部分である。第２交差部５Ｘは、第２画素３のアナログの信号が通る部分である。また、本実施形態では、第１延部４Ｚは、第１画素２のアナログの信号が通る部分である。第２延部５Ｚは、第２画素３のアナログの信号が通る部分である。第１のＯＢ延部６６Ｚ、第２のＯＢ延部６８Ｚについても、同様であり、対応するアナログの信号が通る部分である。後述する第３延部１１Ｚ、第３延部４ＢＺ、第４延部５Ｚ、第４延部５ＢＺについても、同様であり、対応するアナログの信号が通る部分である。
【０１０７】
交差部分４Ｘおよび５Ｘにおける上記交差は、平面視における第１信号経路４と第２信号経路５の唯一の交差であってもよい。平面視において、部分４Ｘおよび５Ｘ以外において、第１信号経路４と第２信号経路５の交差がさらになされてもよい。例えば、平面視で、第１回路６よりも下流において、さらなる交差がなされてもよい。平面視で、出力回路４４よりも下流の撮像装置１００の外部において、さらなる交差がなされてもよい。ここで、下流とは、画素２の信号の流れ方向２Ｆおよび画素３の信号の流れ方向３Ｆの下流を指す。
【０１０８】
第２回路１４は、複数の電圧線を含んでいてもよい。具体的には、図１１の例では、複数の電圧線は、１つの第３電圧線１５と、第３電圧線１５と隣り合う２つの第４電圧線１６（本開示の第４および第５電圧線の一例）と、を含む。一方の第４電圧線１６と、第３電圧線１５と、他方の第４電圧線１６と、は、平面視においてこの順に並んでいる。この例では、平面視において、第２回路１４における複数の電圧線１６、１５のピッチと、第１回路６における電圧線７、８のピッチが異なる。ここで、電圧線のピッチは、電圧線の長手方向に伸びる中心線と、当該電圧線に隣接する電圧線の長手方向に伸びる中心線との間隔を指す。
【０１０９】
一具体例では、第３電圧線１５には、第３電圧が印加される。第４電圧線１６には、第４電圧が印加される。第３電圧および第４電圧は、互いに異なる。
【０１１０】
第３電圧は、第１電圧および第２電圧の一方と同じであってもよい。第４電圧は、第１電圧および第２電圧の他方と同じであってもよい。第３電圧は、第１電圧および第２電圧のいずれとも異なっていてもよい。第４電圧は、第１電圧および第２電圧のいずれとも異なっていてもよい。
【０１１１】
本実施形態では、第３電圧線１５の第３電圧は、電源電圧である。第４電圧線１６の第４電圧は、接地電圧である。第３電圧線１５および第４電圧線１６は、第２回路１４における要素を動作させるために利用される。電圧線１５および１６は、例えば、図４の電流源回路５０で用いられる。第４電圧が電源電圧であり、第３電圧が接地電圧であってもよい。電圧線１５および電圧線１６は、例えば、電流源回路５０中のトランジスタに接続され、トランジスタに電圧を供給する。
【０１１２】
第３電圧は、固定電圧であってもよく、時間変化する電圧であってもよい。第４電圧についても同様である。固定電圧としては、モード信号の電圧、レジスタ信号の電圧が例示される。第３電圧および第４電圧に対応する時間変化する電圧としては、互いに異なる周波数の交流電圧が例示される。このような交流電圧としては、クロック信号の電圧が例示される。第３電圧および第４電圧の一方がクロック信号の電圧であり、他方がデータ信号の電圧であってもよい。第３電圧および第４電圧は、互いに異なるタイミングおよび／または互いに異なるデューティ比のパルス信号の電圧であってもよい。
【０１１３】
以下では、第３配線部Ｊ３という用語を用いることがある。第３配線部Ｊ３は、第３電圧が印加される配線部である。第３配線部Ｊ３は、１つの第３電圧線１５または複数の第３電圧線１５に対応し得る。図１１の例では、第３配線部Ｊ３は、１つの第３電圧線１５に対応する。
【０１１４】
以下では、第４配線部Ｊ４という用語を用いることがある。第４配線部Ｊ４は、第４電圧が印加される配線部である。第４配線部Ｊ４は、１つの第４電圧線１６または複数の第４電圧線１６に対応し得る。図１１の例では、第４配線部Ｊ４は、２つの第４電圧線１６に対応する。
【０１１５】
図１１の例では、撮像装置１００は、第３配線部Ｊ３と、第４配線部Ｊ４と、を含む第２回路１４を備える。平面視において、第１配線部Ｊ１と第２配線部Ｊ２のピッチと、第３配線部Ｊ３と第４配線部Ｊ４のピッチとは、互いに異なっている。平面視において、第３配線部Ｊ３と第４配線部Ｊ４との間の領域をピッチ領域１４Ｐと定義する。このとき、平面視において、第１信号経路４では、ピッチ領域１４Ｐ内で延びる部分と、第１交差部４Ｘと、第１延部４Ｚとが、第１画素２の信号の流れ方向２Ｆに沿って、この順に並ぶ。平面視において、第２信号経路５では、ピッチ領域１４Ｐ内で延びる部分と、第２交差部５Ｘと、第２延部５Ｚとが、第２画素３の信号の流れ方向３Ｆに沿って、この順に並ぶ。この例では、第１配線部Ｊ１は、１つの第１電圧線７に対応する。第２配線部Ｊ２は、１つの第２電圧線８に対応する。第３配線部Ｊ３は、１つの第３電圧線１５に対応する。第４配線部Ｊ４は、２つの第４電圧線１６に対応する。上記のようなピッチの相違がある場合は、上記交差を伴うレイアウトがノイズ低減に寄与し得る場合の一例である。具体的には、例えば、第１回路６と第２回路１４とでピッチが相違する場合、平面視でまっすぐに信号経路４および５を伸ばすと、所望の電圧線に近接させられない可能性が、ピッチが同じである場合と比較して高い。しかし、上記交差により、所望の電圧線への接近が容易となる。
【０１１６】
図１１の例では、具体的には、第１配線部Ｊ１と第２配線部Ｊ２のピッチは、第１電圧線７と第２電圧線８のピッチである。第３配線部Ｊ３と第４配線部Ｊ４のピッチは、第３電圧線１５と第４電圧線１６のピッチである。ピッチ領域１４Ｐは、第３電圧線１５と第４電圧線１６との間の領域である。
【０１１７】
上述のとおり、図１１の例では、平面視において、第２回路１４における複数の電圧線１５，１６のピッチと、第１回路６における電圧線７，８のピッチとは、互いに異なる。具体的には、例えば、第２回路１４における複数の電圧線１５，１６のピッチは、画素の列のピッチ（以下、１カラムピッチと称することがある）と同じである。第１回路６における電圧線７，８のピッチは、１カラムピッチとは異なる。電圧線７，８は、画素の列のピッチの２倍のピッチ（以下、２カラムピッチと称することがある）を有する。
【０１１８】
図１２に示すように、平面視において、第２回路１４における複数の電圧線１５，１６のピッチと、第１回路６における電圧線７，８のピッチとは、同じであってもよい。
【０１１９】
画素の信号は、信号経路を介して、第１回路６に入力されてもよい。画素の信号は、第１回路６に入力されなくてもよい。
【０１２０】
画素の信号は、信号経路を介して、第２回路１４に入力されてもよい。画素の信号は、第２回路１４に入力されなくてもよい。
【０１２１】
（第２の実施形態）
以下、第２の実施形態について説明する。第２の実施形態においては、第１の実施形態と同様の内容については、同一の符号を付して説明を省略することがある。
【０１２２】
図１３に、第２の実施形態における、画素アレイ１、第２回路１４および第１回路６を示す。
【０１２３】
図１３の例では、画素アレイ１は、複数の画素を含む。複数の画素の１つを、第３画素９と称することがある。複数の画素の１つを、第４画素１０と称することがある。第３画素９の信号が流れる経路を、第３信号経路１１と称することがある。第４画素１０の信号が流れる経路を、第４信号経路１２と称することがある。
【０１２４】
図１３の例では、第１回路６は、複数の第１電圧線７と、複数の第２電圧線８と、を含む。第１電圧線７と第２電圧線８とは、平面視において交互に繰り返し並んでいる。
【０１２５】
図１３の例では、第１電圧線７の数が複数であり、第２電圧線８の数が複数である。この場合の第１領域６１および第２領域６２を、図１４に示す。平面視において、第１信号経路４では、第２信号経路５と交差する第１交差部４Ｘと、第２領域６２内で延びる第１延部４Ｚとが、第１画素２の信号の流れ方向２Ｆに沿って、この順に並ぶ。平面視において、第２信号経路５では、第１信号経路４と交差する第２交差部５Ｘと、第１領域６１内で延びる第２延部とが、第２画素３の信号の流れ方向３Ｆに沿って、この順に並ぶ。ここで、第１配線部Ｊ１は、第１電圧が印加される配線部である。第２配線部Ｊ２は、第２電圧が印加される配線部である。図１３の例では、第１配線部Ｊ１は、複数の第１電圧線７に対応する。第２配線部Ｊ２は、複数の第２電圧線８に対応する。
【０１２６】
具体的には、例えば、図１５に示すように、第１延部４Ｚは、平面視において第１信号経路４が第２の１／２領域７２内で延びる部分である。第２延部５Ｚは、平面視において第２信号経路５が第１の１／２領域７１内で延びる部分である。
【０１２７】
図１３の例では、第２回路１４における複数の電圧線は、複数の第３電圧線１５と、複数の第４電圧線１６と、を含む。第３電圧線１５と第４電圧線１６とは、平面視において交互に繰り返し並んでいる。この例では、平面視において、第２回路１４における複数の電圧線１５，１６のピッチと、第１回路６における電圧線７，８のピッチが異なる。
【０１２８】
図１３の例では、第２回路１４における複数の電圧線１５，１６は、１カラムピッチを有している。第１回路６における電圧線７，８は、１カラムピッチとは異なるピッチを有している。具体的には、例えば、電圧線７，８は、２カラムピッチを有している。
【０１２９】
図１３の例では、撮像装置１００は、第３配線部Ｊ３と、第４配線部Ｊ４と、を含む第２回路１４を備える。平面視において、第１配線部Ｊ１と第２配線部Ｊ２のピッチと、第３配線部Ｊ３と第４配線部Ｊ４のピッチとは、互いに異なっている。平面視において、第３配線部Ｊ３と第４配線部Ｊ４との間の領域をピッチ領域１４Ｐと定義する。このとき、平面視において、第１信号経路４では、ピッチ領域１４Ｐ内で延びる部分（本開示の第１ピッチ部分の一例）と、第１交差部４Ｘと、第１延部４Ｚとが、第１画素２の信号の流れ方向２Ｆに沿って、この順に並ぶ。平面視において、第２信号経路５では、ピッチ領域１４Ｐ内で延びる部分（本開示の第２ピッチ部分の一例）と、第２交差部５Ｘと、第２延部５Ｚとが、第２画素３の信号の流れ方向３Ｆに沿って、この順に並ぶ。図１３の例では、第１配線部Ｊ１は、複数の第１電圧線７に対応する。第２配線部Ｊ２は、複数の第２電圧線８に対応する。第３配線部Ｊ３は、複数の第３電圧線１５に対応する。第４配線部Ｊ４は、複数の第４電圧線１６に対応する。
【０１３０】
図１３の例では、具体的には、第１配線部Ｊ１と第２配線部Ｊ２のピッチは、第１電圧線７と第２電圧線８のピッチである。第３配線部Ｊ３と第４配線部Ｊ４のピッチは、第３電圧線１５と第４電圧線１６のピッチである。ピッチ領域１４Ｐは、第３電圧線１５と第４電圧線１６の間の領域である。
【０１３１】
図１６は、第２回路１４および第１回路６の詳細例を示す。具体的には、図１６は、平面視における第２回路１４および第１回路６を示している。図１６では、信号経路の一部が省略されている。後述の図１９Ａおよび１９Ｂについても同様である。
【０１３２】
なお、図１３とは異なり、図１６では、平面視において、第１回路６上の領域で、第１信号経路４と第２信号経路５とが交差している。上述のとおり、この交差は、平面視において、第１回路６と第２回路１４との間の領域でなされていてもよく、第１回路６上の領域でなされていてもよく、第２回路１４上の領域でなされていてもよい。また、この交差は、平面視において、素子分離領域と重なる位置で行われてもよい。
【０１３３】
平面視において、第１回路６における電圧線７，８が並ぶピッチ方向を第１横方向ＨＤ１と定義し、第１横方向ＨＤ１に直行する方向を第１縦方向ＶＤ１と定義する。平面視において、第１回路６では、隣り合う電圧線７，８の間で、第１トランジスタＴＧ１および第２トランジスタＴＧ２が第１横方向ＨＤ１に沿って並んでいる。
【０１３４】
図１６の例では、第１トランジスタＴＧ１は、第１導電型のトランジスタである。第２トランジスタＴＧ２は、第２導電型のトランジスタである。第１導電型および第２導電型は、互いに異なる。図１６の例では、具体的には、第１導電型は、Ｐ型である。第２導電型は、Ｎ型である。より具体的には、例えば、第１トランジスタＴＧ１がＰチャネルＦＥＴであり、第２トランジスタＴＧ２がＮチャネルＦＥＴである。第１トランジスタＴＧ１がＮチャネルＦＥＴであり、第２トランジスタＴＧ２がＰチャネルＦＥＴであってもよい。この場合、電圧線７および電圧線８の並びは、図１６の例の逆になる。
【０１３５】
第１トランジスタＴＧ１は、第１電圧線７に接続されている。第２トランジスタＴＧ２は、第２電圧線８に接続されている。
【０１３６】
平面視において、第２回路１４における電圧線１５，１６が並ぶピッチ方向を第２横方向ＨＤ２と定義し、第２横方向ＨＤ２に直行する方向を第２縦方向ＶＤ２と定義する。平面視において、第２回路１４では、隣り合う電圧線１５，１６の間で、第３トランジスタＴＧ３および第４トランジスタＴＧ４が第２縦方向ＶＤ２に沿って並んでいる。
【０１３７】
図１６の例では、第３トランジスタＴＧ３は、第１導電型のトランジスタである。第４トランジスタＴＧ４は、第２導電型のトランジスタである。具体的には、例えば、第３トランジスタＴＧ３がＰチャネルＦＥＴであり、第４トランジスタＴＧ４がＮチャネルＦＥＴである。第３トランジスタＴＧ３がＮチャネルＦＥＴであり、第４トランジスタＴＧ４がＰチャネルＦＥＴであってもよい。
【０１３８】
第３トランジスタＴＧ３は、第３電圧線１５に接続されている。第４トランジスタＴＧ４は、第４電圧線１６に接続されている。
【０１３９】
図１６の例では、平面視において、第２回路１４からは、カラムピッチ毎に、画素の信号が出力されている。
【０１４０】
このように、図１６の例では、撮像装置は、第２回路１４を備えている。第１回路６は、第１導電型の第１トランジスタＴＧ１と、第１導電型とは異なる第２導電型の第２トランジスタＴＧ２と、を含む。第２回路１４は、第１導電型の第３トランジスタＴＧ３と、第２導電型の第４トランジスタＴＧ４と、を含む。第１トランジスタＴＧ１のゲートおよび第２トランジスタＴＧ２のゲートの重心を第１重心と定義する。第３トランジスタＴＧ３のゲートおよび第４トランジスタＴＧ４のゲートの重心を第２重心と定義する。平面視において、第１トランジスタＴＧ１および第２トランジスタＴＧ２の並び方向ＨＤ１と、第３トランジスタＴＧ３および第４トランジスタＴＧ４の並び方向ＶＤ２とは、互いに異なる。このとき、平面視において、第１信号経路４では、第２重心に最接近する部分と、第１重心に最接近する部分とが、第１画素２の信号の流れ方向２Ｆに沿って、この順に並ぶ。ここで、第１信号経路４において、第２重心に最接近する部分は、ピッチ領域１４Ｐ内で延びる部分に含まれていてもよく、第１重心に最接近する部分は、第１延部４Ｚに含まれていてもよい。また、第２信号経路５において、第２重心に最接近する部分は、ピッチ領域１４Ｐ内で延びる部分に含まれていてもよく、第１重心に最接近する部分は、第２延部５Ｚに含まれていてもよい。
【０１４１】
平面視において、第２信号経路５では、第２重心に最接近する部分と、第１重心に最接近する部分とが、第２画素３の信号の流れ方向３Ｆに沿って、この順に並ぶ。このようにすれば、第１回路６を、平面視において並び方向ＶＤ１に小さくし易い。第２回路１４を、平面視において並び方向ＨＤ２に小さくし易い。このため、このようなトランジスタの並びの相違を設けることにより、両回路６および１４で、平面視の形状を変えることが容易となる。このことは、回路配置のスペースの制約への有効な対処になり得る。ただし、トランジスタの並びの相違は、第１回路６および第２回路１４における第１信号経路４および第２信号経路５のレイアウトの制約をもたらしうる。例えば、トランジスタの並びの相違がある場合、電圧線からトランジスタへの電圧印加の都合上、上述した両回路６および１４間の電圧線のピッチの相違が生じ易い。このため、図１６の例においては、上記交差を伴うレイアウトが、ノイズ低減に寄与し得る。
【０１４２】
一例では、第１トランジスタＴＧ１のゲートおよび第２トランジスタＴＧ２のゲートは、共通した１つの電極である。この場合、「第１トランジスタＴＧ１のゲートおよび第２トランジスタＴＧ２のゲートの重心」は、この共通した電極の重心である。別例では、第１トランジスタＴＧ１のゲートおよび第２トランジスタＴＧ２のゲートは、互いに独立した電極である。この場合、「第１トランジスタＴＧ１のゲートおよび第２トランジスタＴＧ２のゲートの重心」は、これら２つの電極の重心である。
【０１４３】
一例では、第３トランジスタＴＧ３のゲートおよび第４トランジスタＴＧ４のゲートは、共通した１つの電極である。この場合、「第３トランジスタＴＧ３のゲートおよび第４トランジスタＴＧ４のゲートの重心」は、この共通した電極の重心である。別例では、第３トランジスタＴＧ３のゲートおよび第４トランジスタＴＧ４のゲートは、互いに独立した電極である。この場合、「第３トランジスタＴＧ３のゲートおよび第４トランジスタＴＧ４のゲートの重心」は、これら２つの電極の重心である。
【０１４４】
よく知られているように、重心は、物体の各部分に働く重力の合力が作用する点を指す。第１トランジスタＴＧ１のゲートおよび第２トランジスタＴＧ２のゲートを構成する少なくとも１つの電極が拡がる領域をＳＥＭ（Scanning Electron Microscope）等の測定機器により測定し、測定した領域から第１重心を特定できる。同様に、第３トランジスタＴＧ３のゲートおよび第４トランジスタＴＧ４のゲート構成する少なくとも１つの電極が拡がる領域をＳＥＭ等の測定機器により測定し、測定した領域から第２重心を特定できる。
【０１４５】
図１６の例では、第１回路６は、第１導電型の第１トランジスタＴＧ１と、第１導電型とは異なる第２導電型の第２トランジスタＴＧ２と、を含んでいる。第１配線部Ｊ１の第１電圧線７は、第１トランジスタＴＧ１に接続されている。第２配線部Ｊ２の第２電圧線８は、第２トランジスタＴＧ２に接続されている。このようにすれば、第１配線部Ｊ１の第１電圧を利用して第１トランジスタＴＧ１を動作させることができる。第２配線部Ｊ２の第２電圧を利用して第２トランジスタＴＧ２を動作させることができる。
【０１４６】
上述のトランジスタに関する技術は、第１の実施形態等の、他の実施形態にも適用可能である。
【０１４７】
図１３の例では、複数の画素は、第３画素９を含む。撮像装置１００は、第３画素９の信号が流れる第３信号経路１１を備える。図１４に示すように、平面視において、第３信号経路１１では、第２領域６２内で延びる第３延部１１Ｚがある。このようなレイアウトは、第１画素２の信号および第３画素９の信号のノイズを低減させるための補正を容易にする。具体的には、例えば、このようなレイアウトによれば、第１信号経路４および第３信号経路１１の一方が第２領域６２内で延び他方が第１領域６１内で延びる場合に比べ、第１回路６で第１画素２の信号および第３画素９の信号に重畳されるノイズ成分にばらつきが生じ難い。このため、このようなレイアウトは、これらの信号のノイズを同様の補正条件の補正で低減するのに適している
【０１４８】
具体的には、例えば、図１５に示すように、第３延部１１Ｚは、平面視における第２の１／２領域７２内で延びる部分である。
【０１４９】
図１３の例では、複数の画素は、第４画素１０を含む。撮像装置１００は、第４画素１０の信号が流れる第４信号経路１２を含む。図１４に示すように、平面視において、第４信号経路１２では、第１領域６１内で延びる第４延部１２Ｚがある。このようなレイアウトは、第２画素３の信号および第４画素１０の信号のノイズを低減させるための補正を容易にする。具体的には、このようなレイアウトによれば、第２信号経路５および第４信号経路１２の一方が第１領域６１内で延び他方が第２領域６２内で延びる場合に比べ、第１回路６で第２画素３の信号および第４画素１０の信号に重畳されるノイズ成分にばらつきが生じ難い。このため、このようなレイアウトは、これらの信号のノイズを同様の補正条件の補正で低減するのに適している。
【０１５０】
具体的には、例えば、図１５に示すように、第４延部１２Ｚは、平面視における第１の１／２領域７１内で延びる部分である。
【０１５１】
以下、ノイズを低減させるための補正の仕方の例について、説明する。
【０１５２】
図１７の例では、撮像装置１００は、信号処理回路４３を備える。信号処理回路４３は、第１延部４Ｚを経由した第１画素２の信号および第３延部１１Ｚを経由した第３画素９の信号の両方に対して、第２領域６２で重畳されるノイズ成分を低減させる補正を実行する。この例によれば、第１画素２の信号の補正と第３画素９の信号の補正とにおいて、同様の補正条件を適用し易い。
【０１５３】
具体的には、例えば、第１延部４Ｚは、第１信号経路４における平面視において第２の１／２領域７２内で延びる部分である。第３延部１１Ｚは、第３信号経路１１における平面視において第２の１／２領域７２内で延びる部分である。信号処理回路４３は、第１延部４Ｚを経由した第１画素２の信号および第３延部１１Ｚを経由した第３画素９の信号の両方に対して、第２の１／２領域７２で重畳されるノイズ成分を低減させる補正を実行する。
【０１５４】
一具体例では、補正は、オプティカルブラック補正である。この具体的では、先に説明した第１のＯＢ画素６５および第１のＯＢ経路６６が利用される。信号処理回路４３は、第１延部４Ｚを経由した第１画素２の信号および第３延部１１Ｚを経由した第３画素９の信号の両方に対して、第１のＯＢ延部６６Ｚを経由した第１のＯＢ画素６５の信号を用いたオプティカルブラック補正を実行する。
【０１５５】
図１８の例では、撮像装置１００は、信号処理回路４３を備える。信号処理回路４３は、第２延部５Ｚを経由した第２画素３の信号および第４延部１２Ｚを経由した第４画素１０の信号の両方に対して、第１領域６１で重畳されるノイズ成分を低減させる補正を実行する。この例によれば、第２画素３の信号の補正と第４画素１０の信号の補正とにおいて、同様の補正条件を適用し易い。
【０１５６】
具体的には、例えば、第２延部５Ｚは、第２信号経路５における平面視において第１の１／２領域７１内で延びる部分である。第４延部１２Ｚは、第４信号経路１２における平面視において第１の１／２領域７１内で延びる部分である。撮像装置１００は、第２延部５Ｚを経由した第２画素３の信号および第４延部１２Ｚを経由した第４画素１０の信号の両方に対して、第１の１／２領域７１で重畳されるノイズ成分を低減させる補正を実行する。
【０１５７】
一具体例では、補正は、オプティカルブラック補正である。この具体的では、先に説明した第２のＯＢ画素６７および第２のＯＢ経路６８が利用される。信号処理回路４３は、第２延部５Ｚを経由した第２画素３の信号および第４延部１２Ｚを経由した第４画素１０の信号の両方に対して、第２のＯＢ延部６８Ｚを経由した第２のＯＢ画素６７の信号を用いたオプティカルブラック補正を実行する。
【０１５８】
図１３の例では、平面視において、第３信号経路１１における第３画素９から第２領域６２まで延びる部分と、第４信号経路１２における第４画素１０から第１領域６１まで延びる部分とは、交差していない。
【０１５９】
具体的には、例えば、平面視において、第３信号経路１１における第３画素９から第２の１／２領域７２まで延びる部分と、第４信号経路１２における第４画素１０から第１の１／２領域７１まで延びる部分とは、交差していない。
【０１６０】
第１の例では、第１画素２および第３画素９は、Ｒ画素、Ｂ画素、Ｇｒ画素およびＧｂ画素の４種から選択される第１種の画素である。第２画素３は、Ｒ画素、Ｂ画素、Ｇｒ画素およびＧｂ画素の４種から選択される第２種の画素である。第１種の画素と第２種の画素は、互いに異なる。第１の例は、第１種の画素である第１画素２および第３画素９の信号ノイズを同様の補正条件の補正で低減するのに適している。
【０１６１】
さらに、第４画素１０が、第２種の画素であってもよい。この例は、第２種の画素である第２画素３および第４画素１０の信号ノイズを同様の補正条件の補正で低減するのに適している。
【０１６２】
第１の例の具体例では、第１種の画素の信号の経路の全てが、平面視において、第１領域６１内を延びる部分を有する。第２種の画素の信号の経路の全てが、平面視において、第２領域６２内を延びる部分を有する。
【０１６３】
より具体的には、例えば、第１種の画素の信号の経路の全てが、平面視において、第１の１／２領域７１内を延びる部分を有する。第２種の画素の信号の経路の全てが、平面視において、第２の１／２領域７２内を延びる部分を有する。
【０１６４】
第２の例では、第１画素２は、第１カラーフィルタを含む。第２画素３は、第２カラーフィルタを含む。第３画素９は、第３カラーフィルタを含む。第１カラーフィルタおよび第３カラーフィルタは、第１色のカラーフィルタである。第２カラーフィルタは、第１色とは異なる第２色のカラーフィルタである。第２の例は、第１色のカラーフィルタを含む画素である第１画素２および第３画素９の信号ノイズを同様の補正条件の補正で低減するのに適している。
【０１６５】
さらに、第４画素１０が、第２色の第４カラーフィルタを含んでいてもよい。この例は、第２色のカラーフィルタを含む画素である第２画素３および第４画素１０の信号ノイズを同様の補正条件の補正で低減するのに適している。
【０１６６】
第２の例の具体例では、第１色のカラーフィルタを含む画素の信号の経路の全てが、平面視において、第２領域６２内を延びる部分を有する。第２色のカラーフィルタを含む画素の信号の経路の全てが、平面視において、第１領域６１内を延びる部分を有する。
【０１６７】
より具体的には、例えば、第１色のカラーフィルタを含む画素の信号の経路の全てが、平面視において、第２の１／２領域７２内を延びる部分を有する。第２色のカラーフィルタを含む画素の信号の経路の全てが、平面視において、第１の１／２領域７１内を延びる部分を有する。
【０１６８】
図１６の例では、平面視において、第２信号経路５と第４信号経路１２とが、第１領域６１のうち（具体的には第１の１／２領域７１のうち）、互いに異なる第１電圧線７に基づく部分を延びている。しかし、平面視において、第２信号経路５と第４信号経路１２とが、第１領域６１のうち（具体的には第１の１／２領域７１のうち）、同じ第１電圧線７に基づく部分を延びていてもよい。
【０１６９】
図１６の例では、平面視において、第１信号経路４と第３信号経路１１とが、第２領域６２のうち（具体的には第２の１／２領域７２のうち）、同じ第２電圧線８に基づく部分を延びている。しかし、平面視において、第１信号経路４と第３信号経路１１とが、第２領域６２のうち（具体的には第２の１／２領域７２のうち）、互いに異なる第２電圧線８に基づく部分を延びていてもよい。
【０１７０】
図１６の具体例では、第１電圧線７の第１電圧は、電源電圧である。第２電圧線８の第２電圧は、接地電圧である。図１６において、「ＶＤＤ」は、電源電圧を表す。「ＧＮＤ」は、接地電圧を表す。第２電圧が電源電圧であり、第２電圧が接地電圧であってもよい。
【０１７１】
ところで、ノイズ対策としては、シールド線を設けたり、信号経路どうしの間隔を広げたりすることが知られている。しかし、これらの対策は、レイアウト面積の増加を招く。これに対し、第２の実施形態では、一部の信号経路を第１領域６１に設け、別の一部の信号経路を第２領域６２に設けることで、ノイズ対策を実現している。すなわち、第２の実施形態では、一部の信号経路を第１電圧線７寄りに設け、別の一部の信号経路を第２電圧線８寄りに設けることで、ノイズ対策を実現している。このようにすれば、レイアウト面積の増加を抑制できる。
【０１７２】
１つの画素カラムピッチ内に設けた複数の信号経路を用いて、並列処理による高速化を行ったり、画素アレイ１へのフィードバックなどによる低ノイズ化を行ったりすることが可能である。このような高速化および低ノイズ化は、例えば、積層構造のイメージセンサで行われる。上述のノイズ対策によれば、このような高速化および低ノイズ化を、レイアウト面積の増加を抑制しつつ実現できる。
【０１７３】
第１信号経路４が画素アレイ１へとフィードバックされていくフィードバック経路を有する場合、そのフィードバック経路は、平面視において第２領域６２内で延びる部分を有していてもよい。第２信号経路５が画素アレイ１へとフィードバックされていくフィードバック経路を有する場合、そのフィードバック経路は、平面視において第１領域６１内で延びる部分を有していてもよい。第３信号経路１１が画素アレイ１へとフィードバックされていくフィードバック経路を有する場合、そのフィードバック経路は、平面視において第２領域６２内で延びる部分を有していてもよい。第４信号経路１２が画素アレイ１へとフィードバックされていくフィードバック経路を有する場合、そのフィードバック経路は、平面視において第１領域６１内で延びる部分を有していてもよい。
【０１７４】
具体的には、第１信号経路４が画素アレイ１へとフィードバックされていくフィードバック経路を有する場合、そのフィードバック経路は、平面視において第２の１／２領域７２内で延びる部分を有していてもよい。第２信号経路５が画素アレイ１へとフィードバックされていくフィードバック経路を有する場合、そのフィードバック経路は、平面視において第１の１／２領域７１内で延びる部分を有していてもよい。第３信号経路１１が画素アレイ１へとフィードバックされていくフィードバック経路を有する場合、そのフィードバック経路は、平面視において第２の１／２領域７２内で延びる部分を有していてもよい。第４信号経路１２が画素アレイ１へとフィードバックされていくフィードバック経路を有する場合、そのフィードバック経路は、平面視において第１の１／２領域７１内で延びる部分を有していてもよい。
【０１７５】
図１３では、平面視において、第２電圧線８、第１電圧線７、第２電圧線８、第１電圧線７がこの順に並んでいる。ここで、第１回路６が拡張され、点線Ｄの位置に第２電圧線８がさらに設けられる場合を考える。この場合において、平面視において第１信号経路４が第２領域６２（具体的には第２の１／２領域７２）のうち点線Ｄの位置の第２電圧線８に基づく部分内で延びるように、第１信号経路４のレイアウトを変更してもよい。一般化すると、平面視において、第１信号経路４は、第２領域６２（具体的には第２の１／２領域７２）のうちいずれの第２電圧線８に基づく部分内で延びていてもよい。同様に、第２信号経路５は、第１領域６１（具体的には第１の１／２領域７１）のうちいずれの第１電圧線７に基づく部分内で延びていてもよい。他の信号経路についても同様である。
【０１７６】
上述のとおり、図１６の例では、平面視において、第２回路１４における複数の電圧線１５，１６のピッチと、第１回路６における電圧線７，８のピッチとは、互いに異なる。具体的には、例えば、第２回路１４における複数の電圧線１５，１６は、１カラムピッチを有する。第１回路６における電圧線７，８は、１カラムピッチではなく、２カラムピッチを有する。 
【０１７７】
平面視において、第２回路１４における複数の電圧線１５，１６のピッチと、第１回路６における電圧線７，８のピッチとは、同じであってもよい。
【０１７８】
電圧線１５，１６のピッチと電圧線７，８のピッチとが同じ場合に、第２の実施形態の技術によりメリットが得られる状況について、図１９ＡおよびＢを参照して説明する。
【０１７９】
図１９Ａの例では、撮像装置は、第１回路６および第２回路１４とは別の回路９４を備える。回路９４には、複数の電圧線９５，９６によって電圧が供給されている。電圧線９５，９６は、別の回路９４で用いられる電源線だが、信号経路９７，９８にとってはノイズ源となり得る。
【０１８０】
この例では、電圧線９５の電圧は、電源電圧である。電圧線９６の電圧は、接地電圧である。図１９Ａにおいて、「ＶＤＤ２」は、電源電圧を表す。「ＧＮＤ２」は、接地電圧を表す。電圧線９６の電圧が電源電圧であり、電圧線９５の電圧が接地電圧であってもよい。
【０１８１】
図１９Ａの例では、平面視において、Ｇｒ画素の信号の信号経路９７と、Ｇｂ画素の信号の信号経路９８とが、交互に繰り返し並んでいる。平面視において、信号経路９７，９８と電圧線９５，９６との間隔が確保されている。これにより、電圧線９５，９６から信号経路９７，９８の信号へのノイズの重畳が抑制されている。
【０１８２】
さらなるノイズ低減のために、平面視において、図１９Ｂに示すように領域Ｍ１で信号経路９７ｓと信号経路９８ｓを交差させることによって、信号経路９７ｓが第２電圧線８寄りの位置を延び、信号経路９８ｓが第１電圧線７寄りの位置を延びるようにできる。平面視において、領域Ｍ２で信号経路９７ｔと信号経路９８ｔを交差させることによって、信号経路９７ｔが第２電圧線８寄りの位置を延び、信号経路９８ｔが第１電圧線７寄りの位置を延びるようにできる。このようにすれば、平面視において、全ての信号経路９７が第２電圧線８寄りの位置を延び、全ての信号経路９８が第１電圧線７寄りの位置を延びる構成が実現される。このようにすれば、複数の信号経路９７の信号に対して第２電圧線８由来のノイズを低減させる補正を行うことで、これらの信号のノイズを好適に低減できる。複数の信号経路９８の信号対して第１電圧線７由来のノイズを低減させる補正を行うことで、これらの信号のノイズを好適に低減できる。このような理由で、電圧線１５，１６のピッチと電圧線７，８のピッチとが同じ場合であっても、第２の実施形態の技術によりメリットが得られ得る。ここで、平面視における第１電圧線７寄りの位置は、第１領域６１に対応し、具体的には、例えば第１の１／２領域７１に対応する。平面視における第２電圧線８寄りの位置は、第２領域６２に対応し、具体的には、例えば第２の１／２領域７２に対応する。
【０１８３】
なお、図１９Ｂの例では、第２回路１４において、ある信号経路９７は第３電圧線１５寄りの位置を延び、別の信号経路９７は第４電圧線１６寄りの位置を延びている。第２回路１４において、ある信号経路９８は第３電圧線１５寄りの位置を延び、別の信号経路９８は第４電圧線１６寄りの位置を延びている。このことは、ノイズ対策上必ずしも問題とはならない。例えば、第２回路１４の長さが短い場合には、第２回路１４におけるノイズの重畳の影響は限定的である。ノイズを抑制すべき信号経路９７，９８とノイズ源となる電圧線１５，１６とが並走する距離が短い場合も、第２回路１４におけるノイズの重畳の影響は限定的である。また、第２回路１４ではシールドその他によりノイズの重畳の影響が抑制されていることもあり得る。
【０１８４】
（第３の実施形態）
以下、第３の実施形態について説明する。第３の実施形態においては、第２の実施形態と同様の内容については、同一の符号を付して説明を省略することがある。
【０１８５】
図２０に示すように、第３の実施形態では、平面視において、第１信号経路４では、第２信号経路５と交差する部分４Ｘと、第３信号経路１１と交差する部分と、第２電圧線８を含む直線８Ｌと交差する部分と、第２領域６２内で延びる部分４Ｚとが、第１画素２の信号の流れ方向２Ｆに沿って、この順に並ぶ。
【０１８６】
具体的には、例えば、平面視において、第１信号経路４では、第２信号経路５と交差する部分４Ｘと、第３信号経路１１と交差する部分と、第２電圧線８を含む直線８Ｌと交差する部分と、第２の１／２領域７２内で延びる部分４Ｚとが、第１画素２の信号の流れ方向２Ｆに沿って、この順に並ぶ。
【０１８７】
平面視において、第３信号経路１１では、第２電圧線８を含む直線８Ｌと交差する部分と、第１信号経路４と交差する部分と、第２領域６２内で延びる部分とが、第３画素９の信号の流れ方向に沿って、この順に並ぶ。
【０１８８】
具体的には、例えば、平面視において、第３信号経路１１では、第２電圧線８を含む直線８Ｌと交差する部分と、第１信号経路４と交差する部分と、第２の１／２領域７２内で延びる部分とが、第３画素９の信号の流れ方向に沿って、この順に並ぶ。
【０１８９】
図２０の例では、画素アレイ１からの出力部において、平面視で、第１信号経路４、第２信号経路５、第３信号経路１１および第４信号経路１２が、この順に並んでいる。交差部４Ｘおよび５Ｘよりも第１回路６に近い領域において、平面視で、第２信号経路５、第３信号経路１１、第１信号経路４および第４信号経路１２が、この順に並んでいる。
【０１９０】
第３の実施形態では、平面視において、第１信号経路４では、第２信号経路５と交差する部分４Ｘと、第３信号経路１１と交差する部分とが並ぶ。平面視において、第１信号経路４では、さらに他の信号経路と交差していてもよい。つまり、平面視において、第１信号経路４における他の信号経路との交差の数は、２であってもよく、３以上であってもよい。
【０１９１】
第３の実施形態では、平面視において、第１信号経路４では、１つの第２電圧線８を含む直線８Ｌと交差する部分がある。平面視において、第１信号経路４では、さらに他の電圧線を含む直線と交差していてもよい。つまり、平面視において、第１信号経路４における電圧線を含む直線との交差の数は、１であってもよく、２以上であってもよい。
【０１９２】
（第４の実施形態）
以下、第４の実施形態について説明する。第４の実施形態においては、第１の実施形態と同様の内容については、同一の符号を付して説明を省略することがある。
【０１９３】
第１の実施形態等では、ノイズを低減させるための補正を、撮像装置１００の内部で行っていた。しかし、ノイズを低減させるための補正を、撮像装置１００の外部で行ってもよい。以下、図２１Ａから図２１Ｃを参照して、第４の実施形態について説明する。なお、図２１Ａには示されていないが、第１回路６と出力回路４４の間にＡＤ変換回路４０等が設けられていてもよい。
【０１９４】
補正としては、例えば、オプティカルブラック補正を採用できる。オプティカルブラック補正には、先に説明した第１のＯＢ画素６５および第１のＯＢ経路６６を用いた技術が利用され得る。オプティカルブラック補正には、先に説明した第２のＯＢ画素６７および第２のＯＢ経路６８を用いた技術が利用され得る。
【０１９５】
一具体例では、図２１Ａから図２１Ｃに示す撮像システム２００は、撮像装置１００と、撮像装置１００の外部に設けられた信号処理装置１８と、を備える。複数の画素は、オプティカルブラック画素である第１のＯＢ画素６５を含む。撮像装置１００は、第１のＯＢ画素６５の信号が流れる第１のＯＢ経路６６を含む。平面視において、第１のＯＢ経路６６では、第２領域６２内で延びる第１のＯＢ延部６６Ｚがある。信号処理装置１８は、第１延部４Ｚを経由した第１画素２の信号に対して、第１のＯＢ延部６６Ｚを経由した第１のＯＢ画素６５の信号を用いたオプティカルブラック補正を実行する。
【０１９６】
具体的には、例えば、第１のＯＢ延部６６Ｚは、第１のＯＢ経路６６における平面視において第２の１／２領域７２内で延びる部分である。第１延部４Ｚは、第１信号経路４における平面視において第２の１／２領域７２内で延びる部分である。
【０１９７】
一具体例では、図２１Ａから図２１Ｃに示す撮像システム２００は、撮像装置１００と、撮像装置１００の外部に設けられた信号処理装置１８と、を備える。複数の画素は、オプティカルブラック画素である第２のＯＢ画素６７を含む。撮像装置１００は、第２のＯＢ画素６７の信号が流れる第２のＯＢ経路６８を含む。平面視において、第２のＯＢ経路６８では、第１領域６１内で延びる第２のＯＢ延部６８Ｚがある。信号処理装置１８は、第２延部５Ｚを経由した第２画素３の信号に対して、第２のＯＢ延部６８Ｚを経由した第２のＯＢ画素６７の信号を用いたオプティカルブラック補正を実行する。
【０１９８】
具体的には、例えば、第２のＯＢ延部６８Ｚは、第２のＯＢ経路６８における平面視において第１の１／２領域７１内で延びる部分である。第２延部５Ｚは、第２信号経路５における平面視において第１の１／２領域７１内で延びる部分である。
【０１９９】
第２の実施形態で説明した補正を撮像装置１００の外部で行ってもよい。そのような補正を行う場合に適した撮像システム２００を、図２２Ａから図２２Ｃに示す。図２２Ａから図２２Ｃの撮像システム２００は、撮像装置１００と、撮像装置１００の外部に設けられた信号処理装置１８と、を備える。信号処理装置１８は、第１延部４Ｚを経由した第１画素２の信号および第３延部１１Ｚを経由した第３画素９の信号の両方に対して、第２領域６２で重畳されるノイズ成分を低減させる補正を実行する。
【０２００】
具体的には、例えば、第１延部４Ｚは、第１信号経路４における平面視において第２の１／２領域７２内で延びる部分である。第３延部１１Ｚは、第３信号経路１１における平面視において第２の１／２領域７２内で延びる部分である。信号処理装置１８は、第１延部４Ｚを経由した第１画素２の信号および第３延部１１Ｚを経由した第３画素９の信号の両方に対して、第２の１／２領域７２で重畳されるノイズ成分を低減させる補正を実行する。
【０２０１】
一具体例では、補正は、オプティカルブラック補正である。この具体的では、先に説明した第１のＯＢ画素６５および第１のＯＢ経路６６が利用される。信号処理装置１８は、第１延部４Ｚを経由した第１画素２の信号および第３延部１１Ｚを経由した第３画素９の信号の両方に対して、第１のＯＢ延部６６Ｚを経由した第１のＯＢ画素６５の信号を用いたオプティカルブラック補正を実行する。
【０２０２】
一例では、信号処理装置１８は、第２延部５Ｚを経由した第２画素３の信号および第４延部１２Ｚを経由した第４画素１０の信号の両方に対して、第１領域６１で重畳されるノイズ成分を低減させる補正を実行する。
【０２０３】
具体的には、例えば、第２延部５Ｚは、第２信号経路５における平面視において第１の１／２領域７１内で延びる部分である。第４延部１２Ｚは、第４信号経路１２における平面視において第１の１／２領域７１内で延びる部分である。信号処理装置１８は、第２延部５Ｚを経由した第２画素３の信号および第４延部１２Ｚを経由した第４画素１０の信号の両方に対して、第１の１／２領域７１で重畳されるノイズ成分を低減させる補正を実行する。
【０２０４】
一具体例では、補正は、オプティカルブラック補正である。この具体的では、先に説明した第２のＯＢ画素６７および第２のＯＢ経路６８が利用される。信号処理装置１８は、第２延部５Ｚを経由した第２画素３の信号および第４延部１２Ｚを経由した第４画素１０の信号の両方に対して、第２のＯＢ延部６８Ｚを経由した第２のＯＢ画素６７の信号を用いたオプティカルブラック補正を実行する。
【０２０５】
補正を撮像装置１００の外部で行う技術は、他の実施形態にも適用可能である。
【０２０６】
（第５の実施形態）
以下、第５の実施形態について説明する。第５の実施形態においては、第１の実施形態と同様の内容については、同一の符号を付して説明を省略することがある。
【０２０７】
第５の実施形態における画素アレイ１および第１回路６を、図２３に示す。
【０２０８】
図２３に示すように、第５の実施形態の画素アレイ１では、複数の画素は、第１画素２および第２画素３に加え、第３画素２１および第４画素２２を含む。
【０２０９】
図２３の例では、第１画素２および第３画素２１は、画素アレイ１における同じ列に属している。第２画素３および第４画素２２は、画素アレイ１における同じ列に属している。第１画素２および第３画素２１が属する列と、第２画素３および第４画素２２が属する列とは、互いに隣接している。
【０２１０】
第１の例では、第１画素２および第３画素２１は、Ｒ画素、Ｂ画素、Ｇｒ画素およびＧｂ画素の４種から選択される第１種の画素である。第２画素３および第４画素２２は、Ｒ画素、Ｂ画素、Ｇｒ画素およびＧｂ画素の４種から選択される第２種の画素である。具体的には、例えば、第１画素２および第３画素２１は、Ｇｒ画素である。第２画素３および第４画素２２は、Ｇｂ画素である。
【０２１１】
第２の例では、第１画素２および第３画素２１は、第１色の画素である。第２画素３および第４画素２２は、第２色の画素である。具体的には、例えば、第１画素２および第３画素２１は、第１色のカラーフィルタを含む。第２画素３および第４画素２２は、第２色のカラーフィルタを含む。
【０２１２】
以下では、第３画素２１の信号が流れる経路を、第３信号経路４Ｂと称することがある。第４画素２２の信号が流れる経路を、第４信号経路５Ｂと称することがある。
【０２１３】
図２３の例では、画素アレイ１からの出力部において、平面視で、第１信号経路４、第３信号経路４Ｂ、第４信号経路５Ｂおよび第２信号経路５が、この順に並んでいる。交差部４Ｘおよび５Ｘよりも第１回路６に近い領域において、平面視で、第４信号経路５Ｂ、第２信号経路５、第１信号経路４および第３信号経路４Ｂが、この順に並んでいる。
【０２１４】
図２３の例では、平面視において、第１信号経路４では、第２信号経路５と交差する交差部４Ｘと、第２領域６２内で延びる第１延部４Ｚとが、第１画素２の信号の流れ方向２Ｆに沿って、この順に並ぶ。平面視において、第３信号経路４Ｂでは、第４信号経路５Ｂと交差する交差部と、第２領域６２内で延びる第３延部４ＢＺとが、第３画素２１の信号の流れ方向２１Ｆに沿って、この順に並ぶ。このようなレイアウトは、第１画素２の信号および第３画素２１の信号のノイズを低減させるための補正を容易にする。具体的には、このようなレイアウトによれば、第１信号経路４および第３信号経路４Ｂの一方が第２領域６２内で延び他方が第１領域６１内で延びる場合に比べ、第１回路６で第１画素２の信号および第３画素２１の信号に重畳されるノイズ成分にばらつきが生じ難い。このため、このようなレイアウトは、これらの信号ノイズを同様の補正条件の補正で低減するのに適している。
【０２１５】
図２３の例では、平面視において、第２信号経路５では、第１信号経路４と交差する交差部５Ｘと、第１領域６１内で延びる第２延部５Ｚとが、第２画素３の信号の流れ方向３Ｆに沿って、この順に並ぶ。平面視において、第４信号経路５Ｂでは、第３信号経路４Ｂと交差する交差部と、第１領域６１内で延びる第４延部５ＢＺとが、第４画素２２の信号の流れ方向２２Ｆに沿って、この順に並ぶ。このようなレイアウトは、第２画素３の信号および第４画素２２の信号のノイズを低減させるための補正を容易にする。具体的には、このようなレイアウトによれば、第２信号経路５および第４信号経路５Ｂの一方が第１領域６１内で延び他方が第２領域６２内で延びる場合に比べ、第１回路６で第２画素３の信号および第４画素２２の信号に重畳されるノイズ成分にばらつきが生じ難い。このため、このようなレイアウトは、これらの信号ノイズを同様の補正条件の補正で低減するのに適している。
【０２１６】
具体的には、例えば、第１延部４Ｚは、平面視において第１信号経路４が第２の１／２領域７２内で延びる部分である。第３延部４ＢＺは、平面視において第３信号経路４Ｂが第２の１／２領域７２内で延びる部分である。第２延部５Ｚは、平面視において第２信号経路５が第１の１／２領域７１内で延びる部分である。第４延部５ＢＺは、平面視において第４信号経路５Ｂが第１の１／２領域７１内で延びる部分である。
【０２１７】
ノイズを低減させるための補正の仕方の例について、説明する。図２３の例では、信号処理回路４３は、第１延部４Ｚを経由した第１画素２の信号および第３延部４ＢＺを経由した第３画素２１の信号の両方に対して、第２領域６２で重畳されるノイズ成分を低減させる補正を実行する。この例によれば、第１画素２の信号の補正と第３画素２１の信号の補正とにおいて、同様の補正条件を適用し易い。
【０２１８】
具体的には、例えば、第１延部４Ｚは、第１信号経路４における平面視において第２の１／２領域７２内で延びる部分である。第３延部４ＢＺは、第３信号経路４Ｂにおける平面視において第２の１／２領域７２内で延びる部分である。信号処理回路４３は、第１延部４Ｚを経由した第１画素２の信号および第３延部４ＢＺを経由した第３画素２１の信号の両方に対して、第２の１／２領域７２で重畳されるノイズ成分を低減させる補正を実行する。
【０２１９】
一具体例では、補正は、オプティカルブラック補正である。この具体的では、先に説明した第１のＯＢ画素６５および第１のＯＢ経路６６が利用される。信号処理回路４３は、第１延部４Ｚを経由した第１画素２の信号および第３延部４ＢＺを経由した第３画素２１の信号の両方に対して、第１のＯＢ延部６６Ｚを経由した第１のＯＢ画素６５の信号を用いたオプティカルブラック補正を実行する。
【０２２０】
図２３の例では、信号処理回路４３は、第２延部５Ｚを経由した第２画素３の信号および第４延部５ＢＺを経由した第４画素２２の信号の両方に対して、第１領域６１で重畳されるノイズ成分を低減させる補正を実行する。この例によれば、第２画素３の信号の補正と第４画素２２の信号の補正とにおいて、同様の補正条件を適用し易い。
【０２２１】
具体的には、例えば、第２延部５Ｚは、第２信号経路５における平面視において第１の１／２領域７１内で延びる部分である。第４延部５ＢＺは、第４信号経路５Ｂにおける平面視において第１の１／２領域７１内で延びる部分である。信号処理回路４３は、第２延部５Ｚを経由した第２画素３の信号および第４延部５ＢＺを経由した第４画素２２の信号の両方に対して、第１の１／２領域７１で重畳されるノイズ成分を低減させる補正を実行する。
【０２２２】
一具体例では、補正は、オプティカルブラック補正である。この具体的では、先に説明した第２のＯＢ画素６７および第２のＯＢ経路６８が利用される。信号処理回路４３は、第２延部５Ｚを経由した第２画素３の信号および第４延部５ＢＺを経由した第４画素２２の信号の両方に対して、第２のＯＢ延部６８Ｚを経由した第２のＯＢ画素６７の信号を用いたオプティカルブラック補正を実行する。
【０２２３】
第１の例は、第１種の画素である第１画素２および第３画素２１の信号のノイズを同様の補正条件の補正で低減するのに適している。第１の例は、第２種の画素である第２画素３および第４画素２２の信号のノイズを同様の補正条件の補正で低減するのに適している。
【０２２４】
第２の例は、第１色のカラーフィルタを含む画素である第１画素２および第３画素２１の信号のノイズを同様の補正条件の補正で低減するのに適している。第２の例は、第２色のカラーフィルタを含む画素である第２画素３および第４画素２２の信号のノイズを同様の補正条件の補正で低減するのに適している。
【０２２５】
図２４に示すように、第１電圧線７Ｂを追加してもよい。第１電圧線７Ｂには、第１電圧線７と同様、第１電圧が印加される。図２４の例では、平面視において、第１電圧線７と、第４信号経路５Ｂと、第２信号経路５と、第１電圧線７Ｂと、がこの順に並んでいる。そして、平面視において、第１電圧線７と第４信号経路５Ｂとの間の距離と、第２信号経路５と第１電圧線７Ｂとの間の距離と、が同じである。このようにすれば、第４信号経路５Ｂの信号に第１領域６１で重畳されるノイズと第２信号経路５の信号に第１領域６１で重畳されるノイズの差が小さくなる。このため、図２４の例は、第２画素３および第４画素２２の信号のノイズを同様の補正条件の補正で低減するのに適している。
【０２２６】
図２４に示すように、第２電圧線８Ｂを追加してもよい。第２電圧線８Ｂには、第２電圧線８と同様、第２電圧が印加される。図２４の例では、平面視において、第２電圧線８Ｂと、第１信号経路４と、第３信号経路４Ｂと、第２電圧線８と、がこの順に並んでいる。そして、平面視において、第２電圧線８Ｂと第１信号経路４との間の距離と、第３信号経路４Ｂと第２電圧線８との間の距離と、が同じである。このようにすれば、第１信号経路４の信号に第２領域６２で重畳されるノイズと第３信号経路４Ｂの信号に第２領域６２で重畳されるノイズの差が小さくなる。このため、図２４の例は、第１画素２および第３画素２１の信号のノイズを同様の補正条件の補正で低減するのに適している。
【０２２７】
図２５に示すように、平面視において、第１信号経路４と第３信号経路４Ｂとを、第２電圧線８の長さの中間地点で交差させてもよい。ここで、中間地点は、例えば長さを３等分したときの中間の部分であり、具体的には、例えば、長さを２等分する位置である。このようにすれば、第１信号経路４と第２電圧線８の間の結合容量と、第３信号経路４Ｂと第２電圧線８の間の結合容量と、の差を小さくすることができる。このようにすれば、第１信号経路４の信号に第２領域６２で重畳されるノイズと第３信号経路４Ｂの信号に第２領域６２で重畳されるノイズの差が小さくなる。このため、図２５の例は、第１画素２および第３画素２１の信号のノイズを同様の補正条件の補正で低減するのに適している。
【０２２８】
図２５に示すように、平面視において、第２信号経路５と第４信号経路５Ｂとを、第１電圧線７の長さの中間地点で交差させてもよい。ここで、中間地点は、例えば長さを３等分したときの中間の部分であり、具体的には、例えば、長さを２等分する位置である。このようにすれば、第２信号経路５と第１電圧線７の間の結合容量と、第４信号経路５Ｂと第１電圧線７の間の結合容量と、の差を小さくすることができる。このようにすれば、第２信号経路５の信号に第１領域６１で重畳されるノイズと第４信号経路５Ｂの信号に第１領域６１で重畳されるノイズの差が小さくなる。このため、図２５の例は、第２画素３および第４画素２２の信号のノイズを同様の補正条件の補正で低減するのに適している。
【０２２９】
（第６の実施形態）
以下、第６の実施形態について説明する。第６の実施形態においては、第２の実施形態と同様の内容については、同一の符号を付して説明を省略することがある。
【０２３０】
第６の実施形態における画素アレイ１および第１回路６を、図２６に示す。
【０２３１】
図２６に示すように、第６の実施形態の画素アレイ１では、複数の画素は、第１画素２３と、第２画素２４と、第３画素２５と、第４画素２６と、第５画素２３Ｃと、第６画素２４Ｃと、第７画素２５Ｃと、第８画素２６Ｃと、を含む。
【０２３２】
以下、第１画素２３の信号が流れる経路を、第１信号経路４と称することがある。第２画素２４の信号が流れる経路を、第２信号経路５と称することがある。第３画素２５の信号が流れる経路を、第３信号経路１１と称することがある。第４画素２６の信号が流れる経路を、第４信号経路１２と称することがある。第５画素２３Ｃの信号が流れる経路を、第５信号経路４Ｃと称することがある。第６画素２４Ｃの信号が流れる経路を、第６信号経路５Ｃと称することがある。第７画素２５Ｃの信号が流れる経路を、第７信号経路１１Ｃと称することがある。第８画素２６Ｃの信号が流れる経路を、第８信号経路１２Ｃと称することがある。
【０２３３】
第１信号経路４、第２信号経路５、第３信号経路１１および第４信号経路１２は、第２の実施形態と同様の特徴を有し得る。例えば、平面視において、第１信号経路４と第２信号経路５は交差している。
【０２３４】
平面視において、第５信号経路４Ｃでは、第１領域６１内で延びる部分がある。平面視において、第６信号経路５Ｃでは、第２領域６２内で延びる部分がある。平面視において、第７信号経路１１Ｃでは、第１領域６１内で延びる部分がある。平面視において、第８信号経路１２Ｃでは、第２領域６２内で延びる部分がある。
【０２３５】
具体的には、例えば、平面視において、第５信号経路４Ｃでは、第１の１／２領域７１内で延びる部分がある。平面視において、第６信号経路５Ｃでは、第２の１／２領域７２内で延びる部分がある。平面視において、第７信号経路１１Ｃでは、第１の１／２領域７１内で延びる部分がある。平面視において、第８信号経路１２Ｃでは、第２の１／２領域７２内で延びる部分がある。
【０２３６】
この例では、平面視において、第２信号経路５、第４信号経路１２、第５信号経路４Ｃおよび第７信号経路１１Ｃでは、第１領域６１内で延びる部分がある。具体的には、例えば、平面視において、第２信号経路５、第４信号経路１２、第５信号経路４Ｃおよび第７信号経路１１Ｃでは、第１の１／２領域７１内で延びる部分がある。このため、第２信号経路５、第４信号経路１２、第５信号経路４Ｃおよび第７信号経路１１Ｃでは、第１回路６で信号重畳されるノイズ成分にばらつきが生じ難い。このため、この例は、これらの信号のノイズを同様の補正条件の補正で低減するのに適している。これらの信号に対し、上述の、第１領域６１で重畳されるノイズ成分を低減させる補正を実行することができる。具体的には、例えば、これらの信号に対し、上述の、第１の１／２領域７１で重畳されるノイズ成分を低減させる補正を実行することができる。
【０２３７】
この例では、平面視において、第１信号経路４、第３信号経路１１、第６信号経路５Ｃおよび第８信号経路１２Ｃでは、第２領域６２内で延びる部分がある。具体的には、例えば、平面視において、第１信号経路４、第３信号経路１１、第６信号経路５Ｃおよび第８信号経路１２Ｃでは、第２の１／２領域７２内で延びる部分がある。このため、第１信号経路４、第３信号経路１１、第６信号経路５Ｃおよび第８信号経路１２Ｃでは、第１回路６で信号重畳されるノイズ成分にばらつきが生じ難い。このため、この例は、これらの信号のノイズを同様の補正条件の補正で低減するのに適している。これらの信号に対し、上述の、第２領域６２で重畳されるノイズ成分を低減させる補正を実行することができる。具体的には、これらの信号に対し、上述の、第２の１／２領域７２で重畳されるノイズ成分を低減させる補正を実行することができる。
【０２３８】
図２６の例では、画素アレイ１からの出力部において、平面視で、第１信号経路４、第５信号経路４Ｃ、第６信号経路５Ｃ、第２信号経路５、第３信号経路１１、第７信号経路１１Ｃ、第８信号経路１２Ｃおよび第４信号経路１２が、この順に並んでいる。交差部４Ｘおよび５Ｘよりも第１回路６に近い領域において、平面視で、第５信号経路４Ｃ、第２信号経路５、第１信号経路４、第６信号経路５Ｃ、第３信号経路１１、第８信号経路１２Ｃ、第７信号経路１１Ｃおよび第４信号経路１２が、この順に並んでいる。
【０２３９】
平面視において、画素アレイ１からの出力部と上記第１回路６に近い領域とで経路の並びが変わるように、経路間の交差がなされている。具体的には、例えば、平面視において、画素アレイ１からの出力部と上記第１回路６に近い領域との間で、第１信号経路４と第５信号経路４Ｃが交差している。これらの間で、第２信号経路５と第６信号経路５Ｃが交差している。これらの間で、第１信号経路４と第２信号経路５が交差している。これらの間で、第７信号経路１１Ｃと第８信号経路１２Ｃが交差している。
【０２４０】
図２６の例では、第１画素２３および第５画素２３Ｃは、画素アレイ１における同じ列に属している。第２画素２４および第６画素２４Ｃは、画素アレイ１における同じ列に属している。第３画素２５および第７画素２５Ｃは、画素アレイ１における同じ列に属している。第４画素２６および第８画素２６Ｃは、画素アレイ１における同じ列に属している。これら４つの列は、説明した順に隣接して並んでいる。
【０２４１】
第１の例では、第１画素２３および第３画素２５は、Ｒ画素、Ｂ画素、Ｇｒ画素およびＧｂ画素の４種から選択される第１種の画素である。第２画素２４および第４画素２６は、該４種から選択される第２種の画素である。第５画素２３Ｃおよび第７画素２５Ｃは、該４種から選択される第３種の画素である。第６画素２４Ｃおよび第８画素２６Ｃは、該４種から選択される第４種の画素である。第１種の画素、第２種の画素、第３種の画素および第４種の画素は、互いに異なる。
【０２４２】
具体的には、例えば、第１画素２３および第３画素２５は、Ｇｒ画素である。第２画素２４および第４画素２６は、Ｒ画素である。第５画素２３Ｃおよび第７画素２５Ｃは、Ｂ画素である。第６画素２４Ｃおよび第８画素２６Ｃは、Ｇｂ画素である。
【０２４３】
第２の例では、第１画素２３および第３画素２５は、第１色の画素である。第２画素２４および第４画素２６は、第２色の画素である。第５画素２３Ｃおよび第７画素２５Ｃは、第３色の画素である。第６画素２４Ｃおよび第８画素２６Ｃは、第４色の画素である。第１色、第２色、第３色および第４色は、互いに異なる。
【０２４４】
具体的には、例えば、第１画素２３および第３画素２５は、第１色のカラーフィルタを含む。第２画素２４および第４画素２６は、第２色のカラーフィルタを含む。第５画素２３Ｃおよび第７画素２５Ｃは、第３色のカラーフィルタを含む。第６画素２４Ｃおよび第８画素２６Ｃは、第４色のカラーフィルタを含む。
【０２４５】
画素の読出し順は、特に限定されない。第１画素２３、第２画素２４、第３画素２５および第４画素２６を読み出し、その後、第５画素２３Ｃ、第６画素２４Ｃ、第７画素２５Ｃおよび第８画素２６Ｃを読み出してもよい。第１画素２３、第２画素２４、第３画素２５、第４画素２６、第５画素２３Ｃ、第６画素２４Ｃ、第７画素２５Ｃおよび第８画素２６Ｃを、同時に読み出してもよい。
【０２４６】
（第７の実施形態）
以下、第７の実施形態について説明する。第７の実施形態においては、第１の実施形態と同様の内容については、同一の符号を付して説明を省略することがある。
【０２４７】
図２７に示すように、第７の実施形態の撮像装置は、セレクタ２７を備える。第７の実施形態では、第１信号経路４の一部は、セレクタ２７によって構成されている。第２信号経路５の一部は、セレクタ２７によって構成されている。図２８に、セレクタ２７の構成を示す。
【０２４８】
第７の実施形態では、平面視において、第１信号経路４では、第１接続点２９Ａと、第１交差部４Ｘと、第２接続点２９Ｂと、第１延部４Ｚとが、第１画素２の信号の流れ方向２Ｆに沿って、この順に並ぶ。平面視において、第２信号経路５では、第３接続点２９Ｃと、第２交差部５Ｘと、第４接続点２９Ｄと、第２延部５Ｚとが、第２画素３の信号の流れ方向３Ｆに沿って、この順に並ぶ。撮像装置は、セレクタ２７を備える。セレクタ２７は、第１スイッチ２８Ａと、第２スイッチ２８Ｂと、第３スイッチ２８Ｃと、第４スイッチ２８Ｄと、を含む。第１スイッチ２８Ａは、第１接続点２９Ａと第４接続点２９Ｄとを電気的に接続する。第２スイッチ２８Ｂは、第１接続点２９Ａと第２接続点２９Ｂとを電気的に接続する。第３スイッチ２８Ｃは、第３接続点２９Ｃと第４接続点２９Ｄとを電気的に接続する。第４スイッチ２８Ｄは、第３接続点２９Ｃと第２接続点２９Ｂとを電気的に接続する。セレクタ２７によれば、画素の信号の経路を切り替えることができる。
【０２４９】
換言すれば、第１スイッチ２８Ａは、第１接続点２９Ａと第４接続点２９Ｄとの間に接続されている。第２スイッチ２８Ｂは、第１接続点２９Ａと第２接続点２９Ｂとの間に接続されている。第３スイッチ２８Ｃは、第３接続点２９Ｃと第４接続点２９Ｄとの間に接続されている。第４スイッチ２８Ｄは、第３接続点２９Ｃと第２接続点２９Ｂとの間に接続されている。
【０２５０】
第２スイッチ２８Ｂは、第１信号経路４上に設けられている。第３スイッチ２８Ｃは、第２信号経路５上に設けられている。
【０２５１】
この例では、セレクタ２７は、第１接続点２９Ａと、第２接続点２９Ｂと、第３接続点２９Ｃと、第４接続点２９Ｄと、を含んでいる。
【０２５２】
第１スイッチ２８Ａ、第２スイッチ２８Ｂ、第３スイッチ２８Ｃおよび第４スイッチ２８Ｄは、電気的制御によりＯＮ状態とＯＦＦ状態を切り替えることができるように構成されていてもよい。これらのスイッチは、ＯＮ状態またはＯＦＦ状態に固定されていてもよい。制御回路４２が、第１〜第４スイッチ２８Ａ〜２８ＤのＯＮ状態とＯＦＦ状態の切り替えを制御してもよい。
【０２５３】
第１スイッチ２８Ａおよび第４スイッチ２８ＤがＯＦＦ状態であり、第２スイッチ２８Ｂおよび第３スイッチ２８ＣがＯＮ状態である場合、第１の実施形態と同様に、第１画素２の信号および第２画素３の信号が流れる。
【０２５４】
以下、セレクタ２７の使い方について、さらに説明する。
【０２５５】
例えば、第２電圧線８におけるノイズ成分が、第１電圧線７におけるノイズ成分よりも小さいとする。この状況で、画素を１行ごとに読む場合がある。具体的には、第１画素２を読み、その後、第２画素３を読む場合がある。この場合、最初は、第２スイッチ２８ＢをＯＮ状態に設定し、第１スイッチ２８Ａ、第３スイッチ２８Ｃおよび第４スイッチ２８ＤをＯＦＦ状態に設定することによって、第１画素２の読み出しを行うことができる。その後、第４スイッチ２８ＤをＯＮ状態に設定し、第１スイッチ２８Ａ、第２スイッチ２８Ｂおよび第３スイッチ２８ＣをＯＦＦ状態に設定することによって、第２画素３の読み出しを行うことができる。このようにすると、第１画素２の信号および第２画素３の信号の両方を、ノイズ成分が比較的小さい第２電圧線８の近傍を経由させることができる。これにより、低いノイズで第１画素２および第２画素３を読むことができる。これらの画像の読み出しの制御は、例えば、行操作回路４１および制御回路４２が行う。
【０２５６】
撮像装置を構成した後に、第１スイッチ２８Ａ、第２スイッチ２８Ｂ、第３スイッチ２８Ｃおよび第４スイッチ２８ＤのＯＮ・ＯＦＦを電気的制御により切り替えてもよい。例えば、撮像装置を構成した後に、電圧線７および８のノイズを実測し、その結果に応じて画素の信号が電圧線８の近傍を経由するようにするか電圧線７の近傍を経由するようにするかを選択することも可能である。このようにすれば、撮像装置の再構成をすることなく、セレクタ２７の電気的制御をするだけで、ノイズを低減させることができる。
【０２５７】
（撮像システムの具体例）
以下、撮像システムの具体例について説明する。この具体例に係る撮像システムは、スマートフォン、ビデオカメラ、デジタルスチルカメラ、監視カメラ、車載向けのカメラなどに利用可能である。
【０２５８】
図２９に、具体例に係る撮像システム２００を示す。システム２００は、レンズ１１０と、撮像装置１００と、信号処理部１２０と、システムコントローラ１３０と、を備える。
【０２５９】
レンズ１１０は、撮像装置１００が備える画素アレイ１に入射光を導くための光学素子である。
【０２６０】
撮像装置１００は、レンズ１１０によって撮像面に結像された像光を、画素単位で電気信号に変換し、得られた画像信号を出力する。画像信号は、上述の実施形態における複数の画素の信号の集合である。撮像装置１００として、上述した実施形態に係る撮像装置を利用可能である。上述した実施形態に係る撮像装置を利用することは、ノイズの少ない画像の形成に寄与し得る。
【０２６１】
信号処理部１２０は、撮像装置１００で生成された画像信号に対して種々の処理をする回路である。一例では、信号処理部１２０で処理された画像信号は、例えば、メモリなどの記録媒体に静止画または動画として記録される。別例では、画像信号は、液晶ディスプレイ等からなるモニタに動画として映し出される。信号処理部１２０は、図２１の信号処理装置１８を含み得る。
【０２６２】
システムコントローラ１３０は、撮像装置１００および信号処理部１２０を駆動する制御部である。
【０２６３】
以上、本開示の実施形態に係る撮像装置および撮像システムについて説明したが、本開示は、この実施形態に限定されるものではない。
【０２６４】
例えば、ブロック図における機能ブロックの分割は一例であり、複数の機能ブロックを一つの機能ブロックとして実現したり、一つの機能ブロックを複数に分割したり、一部の機能を他の機能ブロックに移してもよい。
【０２６５】
上記実施形態に係る各装置に含まれる各処理部は典型的には集積回路であるＬＳＩとして実現される。これらは、個別に１チップ化されてもよいし、一部または全てを含むように１チップ化されてもよい。
【０２６６】
集積回路化はＬＳＩに限るものではなく、専用回路または汎用プロセッサで実現してもよい。ＬＳＩ製造後にプログラムすることが可能なＦＰＧＡ（Ｆｉｅｌｄ Ｐｒｏｇｒａｍｍａｂｌｅ Ｇａｔｅ Ａｒｒａｙ）、またはＬＳＩ内部の回路セルの接続や設定を再構成可能なリコンフィギュラブル・プロセッサを利用してもよい。
【０２６７】
上記各実施形態において、各構成要素の一部は、当該構成要素に適したソフトウェアプログラムを実行することによって実現されてもよい。構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２６８】
平面視における上記部分４Ｘおよび５Ｘでの交差は、必須ではない。上述した実施形態および変形例に示された技術的特徴は、上述の課題の一部または全部を解決するため、あるいは、上述の効果の一部または全部を達成するために、適宜、差し替え、または組み合わせを行うことが可能である。また、本開示中に必須なものとして説明されていない技術的特徴は、適宜、削除することが可能である。
【産業上の利用可能性】
【０２６９】
本開示に係る撮像装置は、デジタルスチルカメラ、医療用カメラ、監視用カメラ、車載用カメラ、デジタル一眼レフカメラ、デジタルミラーレス一眼カメラ等、様々なカメラシステム及びセンサシステムへ利用できる。
【符号の説明】
【０２７０】
１  画素アレイ
２，２３  第１画素
３，２４  第２画素
４  第１信号経路
５  第２信号経路
６  第１回路
７，７Ｂ  第１電圧線
８，８Ｂ  第２電圧線
９，２１，２５  第３画素
１０，２２，２６  第４画素
１１  第３信号経路
１２  第４信号経路
４Ｃ  第５信号経路
５Ｃ  第６信号経路
１１Ｃ  第７信号経路
１２Ｃ  第８信号経路
１４  第２回路
１４Ｐ  ピッチ領域
１５  第３電圧線
１６  第４電圧線
１８  信号処理装置
２３Ｃ  第５画素
２４Ｃ  第６画素
２５Ｃ  第７画素
２６Ｃ  第８画素
２７  セレクタ
２８Ａ，２８Ｂ，２８Ｃ，２８Ｄ  スイッチ
２９Ａ，２９Ｂ，２９Ｃ，２９Ｄ  接続点
４０  ＡＤ変換回路
４１  行走査回路
４２  制御回路
４３  信号処理回路
４４  出力回路
５０  電流源回路
５１  定電流源
５２  グランド
５３  前段回路
５４  ＲＡＭＰ比較器
５４ａ  第１入力部
５４ｂ  第２入力部
５４ｃ  出力部
５５  カウンタ回路
５６  メモリ回路
５７  デジタルアナログコンバータ
６１  第１領域
６２  第２領域
６５  第１のＯＢ画素
６６  第１のＯＢ経路
６７  第２のＯＢ画素
６８  第２のＯＢ経路
７１  第１の１／２領域
７２  第２の１／２領域
８１，８２，８３，８４  配線層
９０  外部パッド
９１  絶縁層
９２  半導体基板
９４  他の回路
９５，９６  電圧線
９７，９８  信号経路
１００  撮像装置
１１０  レンズ
１２０  信号処理部
１３０  システムコントローラ
２００  撮像システム
【図１】
2020072467.tif 000003
【図２】
2020072467.tif 000004
【図３】
2020072467.tif 000005
【図４】
2020072467.tif 000006
【図５】
2020072467.tif 000007
【図６】
2020072467.tif 000008
【図７】
2020072467.tif 000009
【図８】
2020072467.tif 000010
【図９】
2020072467.tif 000011
【図１０】
2020072467.tif 000012
【図１１】
2020072467.tif 000013
【図１２】
2020072467.tif 000014
【図１３】
2020072467.tif 000015
【図１４】
2020072467.tif 000016
【図１５】
2020072467.tif 000017
【図１６】
2020072467.tif 000018
【図１７】
2020072467.tif 000019
【図１８】
2020072467.tif 000020
【図１９Ａ】
2020072467.tif 000021
【図１９Ｂ】
2020072467.tif 000022
【図２０】
2020072467.tif 000023
【図２１Ａ】
2020072467.tif 000024
【図２１Ｂ】
2020072467.tif 000025
【図２１Ｃ】
2020072467.tif 000026
【図２２Ａ】
2020072467.tif 000027
【図２２Ｂ】
2020072467.tif 000028
【図２２Ｃ】
2020072467.tif 000029
【図２３】
2020072467.tif 000030
【図２４】
2020072467.tif 000031
【図２５】
2020072467.tif 000032
【図２６】
2020072467.tif 000033
【図２７】
2020072467.tif 000034
【図２８】
2020072467.tif 000035
【図２９】
2020072467.tif 000036